(57)【要約】  簡潔に説明すると、１つの実施形態にしたがうと、信号を送信する方法が提供される。少なくとも２つのそれぞれのセクターから、信号波形が送信される。少なくとも２つのそれぞれのセクターは、セクターのスーパーセットのうちの少なくとも２つの異なる組のセクターからのものである。送信された信号波形は、特定の信号次元に少なくとも関して、少なくともほぼ相互に直交する信号波形を含んでいる。このような実施形態の利点は、例えば、信号干渉の低減である。【選択図】    図１０
2011511502.tif 000002
【特許請求の範囲】
【請求項１】
ポジショニングを行う方法において、
端末とネットワークサーバとの間で、少なくとも１つのメッセージを交換して、前記端末のポジショニングに使用される拡張パイロットに対する情報を交換することと、
前記交換された情報に基づいて、ポジショニングを行って、前記端末に対するポジション推定を取得することとを含む方法。
【請求項２】
前記少なくとも１つのメッセージを交換することは、拡張パイロット情報を含むメッセージを前記ネットワークサーバから受信することを含み、前記ポジショニングを行うことは、前記拡張パイロット情報を使用して、複数のセクターに対する拡張パイロット測定を取得することを含む請求項１記載の方法。
【請求項３】
前記拡張パイロット情報は、前記拡張パイロットを送信するセクターの識別子のうちの少なくとも１つと、前記セクターにより送信される前記拡張パイロットの時間ロケーションと、前記セクターにより送信される拡張パイロットの時間および周波数ロケーションと、前記セクターにより使用されるパイロットシーケンスと、前記セクターに対する基地局のロケーションと、前記基地局間のパイロットタイミング差と、前記拡張パイロットに対する測定時間とを含む請求項２記載の方法。
【請求項４】
前記少なくとも１つのメッセージを交換することは、拡張パイロット測定結果を含むメッセージを前記ネットワークサーバに送ることを含む請求項１記載の方法。
【請求項５】
前記メッセージは、標準パイロット測定結果とパイロット測定統計量とのうちの少なくとも１つをさらに含む請求項４記載の方法。
【請求項６】
前記少なくとも１つのメッセージを交換することは、
前記拡張パイロット情報を含む第１のメッセージを前記ネットワークサーバから受信することと、
前記拡張パイロット測定結果を含む第２のメッセージを前記ネットワークサーバに送ることとを含む請求項１記載の方法。
【請求項７】
前記少なくとも１つのメッセージを交換することは、前記拡張パイロット情報を含むメッセージを前記端末に送ることとを含む請求項１記載の方法。
【請求項８】
前記少なくとも１つのメッセージを交換することは、前記拡張パイロット測定結果を含むメッセージを前記端末から受信することを含み、前記ポジショニングを行うことは、前記拡張パイロット測定結果に基づいて、前記端末に対する前記ポジション推定を計算することを含む請求項１記載の方法。
【請求項９】
前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する請求項１記載の方法。
【請求項１０】
前記少なくとも１つのメッセージは、少なくとも１つのＳＵＰＬメッセージを含む請求項９記載の方法。
【請求項１１】
前記少なくとも１つのメッセージは、ポジショニングプロトコルに対するものであり、少なくとも１つのＳＵＰＬメッセージにおいて伝えられる請求項９記載の方法。
【請求項１２】
前記端末と前記ネットワークサーバは、制御プレーンロケーションアーキテクチャを介して、前記少なくとも１つのメッセージを交換する請求項１記載の方法。
【請求項１３】
前記少なくとも１つのメッセージは、無線リソースＬＣＳプロトコル（ＲＲＬＰ）、無線リソース制御（ＲＲＣ）、または、ＴＩＡ−８０１に対するものである請求項１記載の方法。
【請求項１４】
前記拡張パイロットは、異なる組のタイムスロット中でセクターの異なる組により送信され、１組のタイムスロットはセクターの組のそれぞれに対するものである請求項１記載の方法。
【請求項１５】
前記拡張パイロットは、異なる組の時間周波数リソース上でセクターの異なる組により送信され、１組の時間周波数リソースはセクターの組のそれぞれに対するものである請求項１記載の方法。
【請求項１６】
ワイヤレス通信ネットワーク中のセクターが、前記拡張パイロットと標準パイロットとの両方を前記ネットワーク中の端末に送信する請求項１記載の方法。
【請求項１７】
ワイヤレス通信のための装置において、
端末とネットワークサーバとの間で、少なくとも１つのメッセージを交換して、前記端末のポジショニングに使用される拡張パイロットに対する情報を交換し、前記交換された情報に基づいて、ポジショニングを行って、前記端末に対するポジション推定を取得するように構成されている少なくとも１つのプロセッサを具備する装置。
【請求項１８】
前記少なくとも１つのプロセッサは、拡張パイロット情報を含むメッセージを前記ネットワークサーバから受信し、前記拡張パイロット情報を使用して、複数のセクターに対する拡張パイロット測定を取得するように構成されている請求項１７記載の装置。
【請求項１９】
前記少なくとも１つのプロセッサは、拡張パイロット測定結果を含むメッセージを前記ネットワークサーバに送るように構成されている請求項１７記載の装置。
【請求項２０】
前記少なくとも１つのプロセッサは、拡張パイロット情報を含むメッセージを前記端末に送るように構成されている請求項１７記載の装置。
【請求項２１】
前記少なくとも１つのプロセッサは、前記拡張パイロット測定結果を含むメッセージを前記端末から受信し、前記拡張パイロット測定結果に基づいて、前記端末に対する前記ポジション推定を計算するように構成されている請求項１７記載の装置。
【請求項２２】
前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する請求項１７記載の装置。
【請求項２３】
ワイヤレス通信のための装置において、
端末とネットワークサーバとの間で、少なくとも１つのメッセージを交換して、前記端末のポジショニングに使用される拡張パイロットに対する情報を交換する手段と、
前記交換された情報に基づいて、ポジショニングを行って、前記端末に対するポジション推定を取得する手段とを含む装置。
【請求項２４】
前記少なくとも１つのメッセージを交換する手段は、拡張パイロット情報を含むメッセージを前記ネットワークサーバから受信する手段を備え、前記ポジショニングを行う手段は、前記拡張パイロット情報を使用して、複数のセクターに対する拡張パイロット測定を取得する手段を備える請求項２３記載の装置。
【請求項２５】
前記少なくとも１つのメッセージを交換する手段は、拡張パイロット測定結果を含むメッセージを前記ネットワークサーバに送る手段を備える請求項２３記載の装置。
【請求項２６】
前記少なくとも１つのメッセージを交換する手段は、前記拡張パイロット情報を含むメッセージを前記端末に送る手段を備える請求項２３記載の装置。
【請求項２７】
前記少なくとも１つのメッセージを交換する手段は、前記拡張パイロット測定結果を含むメッセージを前記端末から受信する手段を備え、前記ポジショニングを行う手段は、前記拡張パイロット測定結果に基づいて、前記端末に対する前記ポジション推定を計算する手段を備える請求項２３記載の装置。
【請求項２８】
前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する請求項２３記載の装置。
【請求項２９】
コンピュータ読み取り可能媒体を具備するコンピュータプログラムプロダクトにおいて、
コンピュータ読み取り可能媒体が、
少なくとも１つのコンピュータに、端末とネットワークサーバとの間で、少なくとも１つのメッセージを交換させて、前記端末のポジショニングに使用される拡張パイロットに対する情報を交換させるためのコードと、
前記少なくとも１つのコンピュータに、前記交換された情報に基づいて、ポジショニングを行わせて、前記端末に対するポジション推定を取得させるためのコードとを含むコンピュータプログラムプロダクト。
【発明の詳細な説明】
【関連する特許出願】
【０００１】
本特許出願は、２００７年１２月１８日に出願された米国仮特許出願シリアル番号６１／０１４，７０６号と、２００８年３月２１日に出願された米国仮特許出願６１／０３８，６６０号と、２００８年５月１日に出願された出願シリアル番号１２／１１３，９００との米国特許の一部継続であり、２００７年１２月２１日に出願された米国仮特許出願シリアル番号６１／０１６，１０１に対して優先権を主張する。上記のすべては、その譲受人に譲渡されており、参照により全文がここに組み込まれている。
【分野】
【０００２】
本開示は、ワイヤレス通信または他のシステム中で使用するための拡張パイロット信号に関連している。
【背景】
【０００３】
例えば、セルラ電話機のような、移動局または他の受信機は、移動局または他の受信機のポジションを推定する能力を提供する情報を、集める能力を具備するようになり始めている。この能力を有するために、移動体デバイスは、例えばグローバルポジショニングシステム（ＧＰＳ）のような、衛星ポジショニングシステム（ＳＰＳ）から信号を受信できる。このような情報は、おそらく他の受信情報とともに、位置特定を推定するために用いられてもよいだろう。移動局または受信機が位置特定を推定できる、さまざまなシナリオがありうる。
【０００４】
しかしながら、さまざまな理由が原因で、移動局は、信号を受信する際に困難に遭遇する。例えば、移動局が建物の内部、または、トンネルの中に位置する場合等に、困難を経験する。他の環境では、移動局は、ＳＰＳ受信機を具備していないかもしれない。繰り返しになるが、さまざまなシナリオがありうる。しかしながら、移動局が位置特定を推定することを可能にする信号を受信する、移動局の能力に関連する困難が、少なくとも部分的に理由となって、移動局または他のデバイスが位置特定を推定するための代替手法に対する必要性が存在する。
【概要】
【０００５】
簡潔に説明すると、１つの実施形態にしたがうと、信号を送信する方法が提供される。少なくとも２つのそれぞれのセクターから、信号波形が送信される。少なくとも２つのそれぞれのセクターは、セクターのスーパーセットのうちの少なくとも２つの異なる組のセクターからのものである。送信された信号波形は、特定の信号次元に少なくとも関して、少なくともほぼ相互に直交する信号波形を含んでいる。このような実施形態の利点は、例えば、信号干渉の低減である。
【図面の簡単な説明】
【０００６】
以下の図面を参照して、非制限的および非網羅的な実施形態をここに記述する。  
【図１】図１は、拡張パイロットシグナリングに対して、３つのタイムスロットを用いる実施形態を図示している概略図である。
【図２】図２は、拡張パイロットシグナリングを実現するために、例えば、１ｘＥＶ−ＤＯで用いられうるような、時分割多重化信号送信のスロットの実施形態の概略図である。
【図３】図３は、拡張パイロットシグナリングに対して、９つのタイムスロットを用いる実施形態を図示している概略図である。
【図４】図４は、拡張パイロットシグナリングに対して、９つのタイムスロットを用いる別の実施形態を図示している概略図である。
【図５】図５は、拡張パイロットシグナリングに対して、９つの時間−周波数スロットを用いる実施形態を図示している概略図である。
【図６】図６は、図３で示されている実施形態に関係する表である。
【図７】図７は、信号を処理するシステムの実施形態を図示している概略図である。
【図８】図８は、移動局の実施形態を図示している概略図である。
【図９】図９は、拡張パイロットシグナリングに対してバースト的なタイムスロット送信を用いる実施形態を図示している概略図である。
【図１０】図１０は、ロケーションサービスをサポートする配備を示している。
【図１１】図１１は、ネットワーク開始のロケーションサービスに対する通話フローを示している。
【図１２】図１２は、拡張パイロットを使用して、ポジショニングを行うプロセスを示している。
【図１３】図１３は、ポジショニングに対して端末により行われるプロセスを示している。
【図１４】図１４は、ポジショニングに対してネットワークサーバにより行われるプロセスを示している。
【図１５】図１５は、基地局と、端末と、ネットワークサーバとのブロック図を示している。
【詳細な説明】
【０００７】
以下の詳細な説明では、クレームされている主題事項の完全な理解を提供するために、多数の特定の詳細な説明を述べている。しかしながら、これらの特定の詳細な説明がなくても、クレームされている主題事項を実施できることは、当業者により理解されるだろう。他の例では、クレームされている主題事項を不明瞭にしないように、当業者により知られている方法、装置、または、システムは、詳細に記述していない。
【０００８】
この明細書全体を通して、１つのインプリメンテーション、インプリメンテーション、１つの実施形態、実施形態、または、これらに類するものに対する言及は、特定のインプリメンテーションまたは実施形態に関連して記述されている、特定の特徴、構造、または、特性が、クレームされている主題事項のうちの少なくとも１つのインプリメンテーションまたは実施形態に含まれていてもよいことを意味している。したがって、この明細書全体のさまざまな場所における、このようなフレーズの出現は、必ずしも、同じインプリメンテーションまたは記述されている任意の１つの特定のインプリメンテーションに言及することを意図しているわけではない。さらに、記述されている特定の特徴、構造、または、特性を、１つ以上のインプリメンテーションにおいて、さまざまな方法で組み合わせてもよいことが理解される。一般的に、もちろん、これらの、および、他の結果は、特定の状況で変化するかもしれない。それゆえ、詳細な説明の特定の状況、または、これらの用語の使い方は、その特定の状況に対して導かれる推論に関して、有用なガイダンスを提供できる。
【０００９】
同様に、ここで使用するような用語「および」、「および／または」、「または」は、繰り返しになるが、これらの用語を使用する状況に少なくとも部分的に左右されるだろうさまざまな意味を含んでいてもよい。典型的に、「および／または」とともに「または」は、Ａ、Ｂ、または、Ｃのようなリストに関係するように使用される場合、ここで排他的な意味で使用されるＡ、Ｂ、または、Ｃとともに、Ａ、Ｂ、および、Ｃを意味することを意図している。さらに、ここで使用するような用語「１つ以上」は、単数形において、任意の特徴、構造、または、特性を記述するために使用しているかもしれず、あるいは、特徴、構造、または、特性をいくつか組み合わせたものを記述するために使用しているかもしれない。
【００１０】
以下に続く詳細な説明のいくつかの部分は、コンピュータメモリのようなコンピューティングシステムメモリ内に記憶されている、データビットまたは２進デジタル信号上での動作のアルゴリズムまたはシンボル的な表現の観点から提示されている。これらのアルゴリズム的な記述または表現は、自己の仕事の内容を他の当業者に伝えるために、データ処理または類似の分野の当業者により使用される技術を含んでいる。アルゴリズムは、ここでは、および、一般的には、所望の結果を導く、自己矛盾のない動作のシーケンスおよび／または類似の処理であると考えられている。動作および／または処理は、物理的な量の物理的な操作を含んでいる。必ずしもではないが、典型的に、これらの量は、記憶され、伝送され、組み合わされ、比較され、または、そうでなければ、操作することが可能な、電気または磁気信号の形態を取りうる。主として一般的な使い方が理由となって、ビット、データ、値、エレメント、シンボル、キャラクタ、用語、数、数字、または、これらに類するものとして、これらの信号を呼ぶことが、場合によっては都合がよいと分かっている。しかしながら、これらの、または、類似の用語のすべてが、適切な物理的な量に関係付けられており、単に都合のよいラベルであることを意図していることを理解すべきである。そうでないように特に述べられていないならば、以下の記述から明らかであるように、この明細書全体を通して、「処理する」、「計算する」、「算出する」、「決定する」、または、これらに類するもののような用語を利用する記述は、コンピュータまたは類似の電子コンピューティングデバイスのような、物理的な電子量または磁気量、あるいは、他の物理的な量として表されるデータを、コンピューティングプラットフォームのメモリ、レジスタ、あるいは、他の情報記憶デバイス、情報送信デバイス、または、情報ディスプレイデバイス内で、操作または変換するコンピューティングプラットフォームの、アクションまたはプロセスに関連していることが理解される。
【００１１】
以前に示したように、移動局または他のデバイスに対する位置特定を推定する方法に対して、必要性が存在する。以前に示したように、受信衛星信号は１つのアプローチを提供するが、このような信号を補いうる、または、このようなアプローチの代わりに用いられうる、他のアプローチも依然として望ましい。
【００１２】
この文脈において、用語、移動局は、ワイヤレス信号を受信する、および、ワイヤレス信号を送る能力を有し、位置特定に関して移動体であることが可能でもある、任意のデバイスに関連していることを意味している。移動局は、典型的に、ワイヤレス通信システムの一部としての使い方に関連して、信号を受信するだろう。さらに、必ずしもではないが、同様に典型的に、移動局は、ワイヤレス通信システム中の１つ以上のセルと通信してもよい。典型的に、このようなセルは、基地局を含んでもよい。それゆえ、位置特定を推定する際に、基地局通信を介して集められる情報が、移動体として呼ばれることもある移動局により利用されることが望ましいかもしれない。同様に、上記のように、このような情報は、例えば、衛星を介する、または、ポジション決定エンティティ（ＰＤＥ）を介するような、他のメカニズムを通して利用可能である情報を補ってもよい。
【００１３】
しかしながら、情報を集めるために１つ以上の基地局と通信している移動局は、いくつかの環境において、例えば、干渉が原因で、困難に遭遇する。例えば、干渉は、いくつかの基地局により送信される信号間で生じうる。したがって、この例では、移動局が、基地局のうちの１つ以上と十分に通信できないかもしれず、結果として、正確な位置特定推定を行う能力が、不能になる、または、低減する。このことは、「遠近効果」が少なくとも部分的に原因である「可聴性問題」として呼ばれることがある。限定するものではないが、少数の可能性ある例のみを提供するために、例えば、ｃｄｍａ２０００およびＷＣＤＭＡのようなワイヤレス通信システムに対して、このような干渉が少なくとも部分的に原因となって、ダウンリンクパイロット信号を検出することが難しくなるかもしれない。
【００１４】
クレームされている主題事項は、任意の特定の実施形態に対する範囲に限定されるものではないが、上記に記述した結果を少なくとも部分的に取り扱うために、さまざまな例示的な実施形態において、信号通信に対するアプローチを記述できる。このような例示的な実施形態の記述において、シグナリングの観点は、時間ドメイン、周波数ドメイン、または、ここで信号次元として呼ばれる特定の信号の他の観点に関連していてもよい。それでもなお、クレームされている主題事項は、これらの例示的なドメインまたは信号次元におけるシグナリングに対する範囲に限定されるものではないことを意図している。これらの例は、単に、説明のためのものである。例えば、他の実施形態では、時間または周波数の代わりに、例えば、位相、振幅、拡散コードまたは拡散コードシーケンス、信号エネルギー、あるいは、それらを任意に組み合わせたもののような、信号の他の次元が含まれてもよい。この文脈において、用語、信号次元は、さまざまな信号にわたって変化する信号の計量可能の観点、および、この特定の計量可能の観点において、１つのものから他のものに変化する信号を分類するまたは区分するために使用されうる信号の計量可能の観点に関連していることを意図している。クレームされている主題事項は、記述した特定の例示的な実施形態に限定されることを意図していない。むしろ、他の信号次元を用いる、他の多くのシグナリング技術またはシグナリングアプローチが、クレームされている主題事項の範囲内に含まれる。クレームされている主題事項の範囲は、このような技術およびアプローチをすべて含むことを意図している。
【００１５】
信号を送信する方法の１つの特定の実施形態において、例えば、ワイヤレス通信システムの少なくとも２つのそれぞれのセクターから、信号波形が送信されうる。少なくとも２つのそれぞれのセクターは、同様に、セクターのスーパーセットのうちの少なくとも２つの異なる組のセクターからのものであってもよい。例えば、スーパーセットのセクターは、図１に図示されているように、例として、少なくとも２つに分割されてもよいし、図１に図示されているように、いくつかの実施形態においては、２つより多い組のセクターに分割されてもよい。したがって、この特定の実施形態において、信号を送信するセクターは、別々の組のセクターからのものであってもよい。同様に、下記でより詳細に記述することになるように、この特定の実施形態において、送信される信号波形は、例えば、時間または周波数のような、少なくとも特定の信号次元に関して、少なくともほぼ相互に直交していてもよい。単一の基地局またはセクターが、特定のタイムスロットまたは他の次元中にロケーションパイロットを送信するインプリメンテーションは、信号特性を見分ける移動局の能力を提供するが、インプリメンテーションは、所望の数の基地局から情報を獲得する時間を同様に増加させる。それゆえ、いくつかのインプリメンテーションは、再使用技術を実現していてもよい。グループまたは組として、セルセクターを配置させることができ、例えば、時分割多重化信号に対して、異なるタイムスロットのような、異なる専用信号次元間に、異なるグループが、ロケーションパイロットを送信してもよい。
【００１６】
図１は、例えば、その代わりに、セクターのスーパーセットが、Ｓ０、Ｓ１、およびＳ２の３組に区分される、または、分割される実施形態を図示しているが、もちろん、クレームされている主題事項は、この点における範囲に限定されるものではない。セクターの配置は、１１０により図示されており、これらのセクターが拡張パイロット信号を送信できる特定のタイムスロットは、１２０により図示されている。上記で示したように、２つより多い可能性ある例のうちの２つのみを提供するために、例えば、時間および／または周波数のような、さまざまな信号次元に、このアプローチを適用することができる。しかしながら、説明が容易になるように、プロトコル１ｘＥＶ−ＤＯに対する例示的な実施形態を図示しており、プロトコル１ｘＥＶ−ＤＯは、さまざまなタイムスロットに情報がスロットインされる、アップリンクおよびダウンリンク信号送信を用いる。
【００１７】
プロトコル１ｘＥＶ−ＤＯは、ＣＤＭＡ２０００ １ｘデジタルワイヤレス標準規格のファミリーの一部である。１ｘＥＶ−ＤＯは、第３世代、すなわち、「３Ｇ」ＣＤＭＡ標準規格である。現在、「リリース０」と「リビジョンＡ」という、１ｘＥＶ−ＤＯの２つの主要なバージョンがある。１ｘＥＶ−ＤＯは、クァルコムにより開発された、「ＨＤＲ」（高データレート）、または、「ＨＲＰＤ」（高レートパケットデータ）として当初知られていた技術に基づいている。国際標準規格は、ＩＳ−８５６として知られている。
【００１８】
図２は、拡張パイロットシグナリングを用いうる、時分割多重化（ＴＤＭ）信号の１つの可能性ある例示的な実施形態２１０であるが、もちろん、クレームされている主題事項は、この特定の例に対する範囲に限定されるものではない。実施形態２１０は、１つの拡張パイロット信号スロットを図示することを意図している。１ｘＥＶ−ＤＯダウンリンクにおいて、パイロットチャネルは、他のチャネルと時分割多重化されている。この例におけるパイロットチャネルは、２１０〜２５０により指定されている。１ｘＥＶ−ＤＯダウンリンク送信は、２０４８チップ長のタイムスロットを含んでいる。１６スロットのグループは、オフセット擬似ランダムノイズ、すなわち、ＰＮシーケンスと整列されている。２１０により図示されているように、スロット内では、パイロットと、拡張メディアアクセス制御（ＭＡＣ）と、トラフィックまたは制御チャネルが時分割多重化されている。このように、１ｘＥＶ−ＤＯダウンリンクに対する拡張パイロットシグナリングの実施形態に対して、拡張パイロット信号のためにタイムスロットを割り振ってもよい。ここで、図２は、このようなスロット構造の１つの可能性ある実施形態を図示しているが、もちろん、クレームされている主題事項は、この例に対する範囲に限定されるものではない。他の多くの可能性ある拡張パイロット信号構成または構造がありえ、クレームされている主題事項の範囲内に含まれている。
【００１９】
しかしながら、この実施形態に対して、これらの専用スロットのデータ部中で拡張パイロットチャネルまたは信号が送信されているが、一方で、後方互換性のために、従来のパイロットおよびＭＡＣチャネルは、維持されている。この実施形態に対して、例えば、拡張パイロットを認識する能力を有していない従来の移動局にとっては、拡張パイロットは、意図されていないパケットとして現われるかもしれない。同様に、この実施形態に対して、およそ１％のような比較的低い「デューティーサイクル」でこのスロットを送信してもよく、それでもなお、このスロットは、シグナリング利益を提供する。この方法では、ダウンリンク能力における潜在的な影響は、重大でないかもしれない。
【００２０】
今まさに記述した実施形態のような、クレームされている主題事項にしたがった実施形態の観点は、いわゆる「再使用」に関連している。この用語は、例えば、特定のシグナリング次元（または、いくつかの実施形態においては、いくつかのシグナリング次元）において利用可能でありうる、周波数帯域幅または信号持続期間のような、シグナリングリソースが、他の、または、異なるセクターにより用い（または、再度用い）られてもよい、という概念に関連している。例えば、上述した実施形態において、例えば、図１に図示されているセクターの組に対応するために、専用のタイムスロットを区分してもよい。この例では、３つの非オーバーラップ区分が形成されているが、クレームされている主題事項は、この点における範囲に限定されるものではない。ここで、Ｋ、または、再使用ファクター１／Ｋとして参照されている、任意の数のグループを用いてもよく、セクターは、非オーバーラップであることが要求されない。しかしながら、この特定の実施形態の詳細にかかわらず、専用のタイムスロットの区分と、スーパーセットのセクターの組の区分との間には、解釈により、１対１の関係が存在するかもしれない。特定の組のセクターのみが、自己の関係するスロット中で、拡張パイロット信号のみを送信してもよい。これは、ここでは、時間に対する再使用として呼ばれる。その理由は、この実施形態において、一緒になってセクターのスーパーセットを構成する、セクターの区分された組に対応するために、時間シグナリング次元に関して利用可能なシグナリングリソースが区分されているからである。
【００２１】
以前に提案したように、この特定の実施形態のアプローチの１つの利点は、信号送信干渉の低減に関連している。いいかえると、送信された信号波形がほぼ相互に直交するように、信号次元に関してセクターを区分することにより、結果として、パイロット信号が、例えば移動局により、さらに容易に検出されるようになる。
【００２２】
説明が容易になるように、セクターを区分することは、ここでは、「カラーリング」として呼ぶ。「カラー」を使用することは、もちろん、クレームされている主題事項またはこの特定の実施形態においてさえ、必須の特徴ではない。むしろ、用語「カラー」は、ここでは、区分を識別すること、すなわち、区分することを意図している。したがって、すぐ下記でより詳細に記述するように、「カラー」は、ここでは、単に、例えば、セクターに対する区分を指しており、従来の観念のカラーとしてよりもむしろ、２タプルに関連する。例えば、限定するものではないが、セルが（｛Ｒ、Ｇ、Ｂ｝として省略される）組｛赤、緑、青｝からの値を取る場合、セクターは、この例では、組｛Ｒ、Ｇ、Ｂ｝ｘ｛α、β、γ｝からの値を取ってもよい。ここで、「ｘ」は、カルテシアン積を表している。したがって、この例では、セルの「カラー」は、そのセルのセクターの「カラー」に影響を及ぼす。もちろん、クレームされている主題事項は、セルまたはセクターにより区分することに必ずしも限定されるものではないことが理解される。例えば、代替実施形態において、他の細分割または区分を用いてもよい。しかしながら、上記のように、セクターのカラーは、例えば、Ｒαとして省略される（Ｒ、α）のように、２タプルとして呼ばれることがあり、繰り返しになるが、第１のエレメントは、セクターが属するセルのカラーから来ている。少なくとも部分的に上述のことに基づいて、この特定の例に対する再使用ファクターが、Ｋ＝９または１／９であることは、明白である。
【００２３】
図１に示した実施形態とは異なる、例示的な実施形態３１０を、図３に示している。図３も、計画的な、または、専用のカラーリングの例を図示している。記述している特定の実施形態に対して、送信される信号波形は、図６中の６１０により図示されているような、時分割多重化（ＴＤＭ）信号波形を構成している。計画的なカラーリングでは、同じカラーのセクター間で干渉をバランスよく低減させるために、カラーは、固定または専用の方法で割り当てられている。しかしながら、もちろん、クレームされている主題事項は、このようなアプローチを用いることに対する範囲に限定されるものではない。したがって、図３および図６により図示されているように、潜在的な信号干渉を低減させるために、信号は特定のタイムスロット中で送信される。ここで上記の記述から理解されうるように、専用のリソースおよび再使用がチャネル間の干渉を低減させ、したがって、遠近効果を緩和し、同様に、可聴性を改善させるのを助ける。それゆえ、少なくともこの特定の実施形態に対して、特定のセルセクターに関係する専用のタイムスロット中で送信されるＴＤＭ信号波形は、高検出可能なパイロット（ＨＤＰ）信号を構成している。下記でさらに記述することになるように、このことにより、地上の位置特定推定の正確さを改善できるが、繰り返しになるが、クレームされている主題事項は、この点における範囲に限定されるものではない。
【００２４】
クレームされている主題事項は、この点における範囲に限定されるものではないが、上述した実施形態の別の利点は、この特定の状況において増分検出として呼ばれる特徴を実現する機会である。増分検出は、ここでは、位置特定の正確さを改善できる追加の拡張パイロット信号の受信を待つことにより、時間と位置特定推定の正確さとの間のリアルタイムトレードオフにかかわる、移動局の受信機部の能力に関連している。
【００２５】
例えば、上記の例示的な実施形態に関連して記述したように、セクターの９グループまたは９組のうちの１つに対する拡張パイロットシグナリングを含む、送信された信号波形を受信する移動局は、位置特定推定を計算する前に、セクターの他のグループまたは他の組に対する拡張パイロット信号を含みうる追加のタイムスロットの受信を待つというオプションを有している。しかしながら、特定のアプリケーションを含みうる、さまざまなファクターに少なくとも部分的にしたがって、それにもかかわらず、例えば、移動局は、望ましいと決定された場合、追加の信号の受信を待つことなく、位置特定を推定してもよく、それにより、遅延をより少なくするために、追加の“可聴性”を断念する。移動局は、他の組またはグループの他のセクターから、追加の拡張パイロット信号を受信して、処理することにより、さらに正確に位置特定を推定できる。図６に図示している実施形態に対して、単に１つの例として、限定するものではないが、移動局または他の受信機は、この特定の実施形態において、拡張パイロット信号専用のタイムスロットの１／３、２／３またはすべてを受信した後に位置特定を推定することにより、「ポジション固定」を行ってもよい。信号を処理する前の、より長い遅延は、一般的に、より多くの検出された基地局に対応すべきであり、それゆえ、増分的に、より良い検出推定を提供する。
【００２６】
クレームされている主題事項は、この点における範囲に限定されるものではないが、いくつかの実施形態に対して、上述したトレードオフが、グレースフルまたはスムーズである場合には、このことは望ましいかもしれない。図３に示している実施形態のような、このような１つの実施形態において、繰り返しになるが、限定するものではないが、移動局は、特定の送信順序を用いた結果として、比較的早い時間に、すべての方向から適度な数の基地局を検出できるかもしれない。例えば、移動局が、特定の遅延量の間に、異なる方向から基地局を検出できるように、グルーピングまたは送信ストラテジーが設計されるかもしれない。例えば、グループに対して、特定のポイントについての基地局の分布が、放射状に対称であると言えるかもしれない。基地局の集まりの状態の状況では、もちろん、厳密な放射状の対称からのバリエーションが予想される。したがって、構成は、常に放射状に対称である必要はないが、時間にわたって平均した場合には、ほぼ放射状に対称である。それにもかかわらず、図６に示している実施形態以外の他の実施形態も可能であり、クレームされている主題事項の範囲内に含まれるように意図されている。さらに、クレームされている主題事項は、トレードオフがスムーズまたはグレースフルでないかもしれない実施形態、あるいは、トレードオフがまったく生じない実施形態をカバーすることも意図している。
【００２７】
専用のまたは計画的なカラーリングに対して、システムまたはネットワークが、特定の「カラーマップ」について、移動局または端末に知らせることも可能である。代替的に、おそらく、移動局がちらばる前に、移動局のメモリ中に情報がロードされるか、または、おそらくは、移動局は、時間にわたる拡張パイロット信号検出を通して、隣接するセクターに関するカラーマップを決定する。潜在的な干渉を低減させるために、少なくともいくつかの実施形態において、セクターまたはセルが、すぐ隣接するセクターまたはセルと、同じカラーを共有しないことが望ましいかもしれない。同様に、２つの隣接するセクターが同じＰＮシーケンスを共有する場合、移動局が両方のセクターを検出するシチュエーションでは、それらが同じカラーを共有していなければ、曖昧さを解消する助けとなるが、もちろん、クレームされている主題事項は、この点における範囲に限定されるものではない。
【００２８】
図４は、実施形態４１０を図示している概略図であり、１ｘＥＶ−ＤＯに対して拡張パイロット信号を提供するために用いることができる、クレームされている主題事項にしたがった、多くの可能性ある実施形態のうちの１つである。ここで、例えば、以前に提案したように、「同じカラー」のセクター間での干渉をバランスよく低減させるようにカラー割り当てがなされる。この特定の実施形態は、計画的なまたは専用のカラーリングを用いるが、以前に明らかにしたように、クレームされている主題事項は、専用のカラーリングに対する範囲に限定されるものではない。下記でより詳細に記述することになるように、クレームされている主題事項の範囲内で他のアプローチを用いてもよい。
【００２９】
それにもかかわらず、この特定の実施形態に続いて、図９に図示しているように、２５６タイムスロットごとに３つのタイムスロットが確保されてもよく、以前提案していたように、これは、結果として、およそ１％のオーバーヘッドになる。スロット９１０は、例えば、３スロットパケットのように、１つのインターレース中で、連続して送信してもよいが、もちろん、クレームされている主題事項は、拡張パイロットシグナリングに対して「バースト的な」送信をする範囲に限定されるものではない。例えば、アイドリング状態の移動局は、すみやかにアイドリング状態を脱して、このようなバーストを処理し、その後アイドリングに戻ってもよく、潜在的に、結果として、検出の電力効率がより良くなる。
【００３０】
この特定の実施形態に対して、バーストシーケンスは、赤、緑、青であるが、図示しているように、連続するバースト上において、α、β、およびγが変化する。同様に、この特定の実施形態に対して、３つのタイムスロットのバーストは、７６８スロットの後に、周期的にシフトするが、クレームされている主題事項は、この点における範囲に限定されるものではない。しかしながら、このようなアプローチの利点は、いくつかのシチュエーションにおいて生じる可能性ある曖昧さを解消することである。例えば、受信機が、１つのセクターからの拡張信号パイロットしか検出できない場合には、周期的なシフトがなくても、どの専用のスロットが検出されているかについての曖昧さが存在するかもしれない。
【００３１】
この特定の実施形態に伴いうる別の可能性ある特徴は、オーバーブーストした電力で、これらの拡張パイロット信号を送信することである。このことが、カバレッジの改善につながる。しかしながら、これらのタイムスロットは平均電力に対するピークが低い比であるので、過剰な歪みにはなりにくい。同様に、ＤＯパイロット信号のような拡張されていない信号をコード化するのに使用するのとは異なるＰＮシーケンスを使用して拡張パイロット信号をコード化することは、有益であるかもしれない。限定するものではないが、実現するのに比較的便利である１つのアプローチは、拡張されていない信号に対して基地局により適用されるシーケンスの複素共役に対応するＰＮシーケンスを使用することを含んでもよい。
【００３２】
専用のまたは計画的なカラーリングが、そのうちのいくつかを上述した潜在的な利点を提供する一方、セクター間の干渉を低減させるためのカラー割り当ては、何らの量の計画的な労力を伴う。この労力を減らす、または、この労力から逃れることが可能な場合には、カラー割り当ては、いくつかのシチュエーションにおいて有利になる。１つのアプローチは、専用のカラーリングよりもむしろ、ここで時間変化カラーリングとして呼ぶことがあるものを用いることである。時間変化カラーリングでは、さまざまなセクターのカラーは、時間とともに変化する。しかしながら、カラー割り当て、および／または、送信順序は、それでもなお、決定論的であってもよい、または、非決定論的であってもよい（例えば、ランダム、または、擬似ランダム）。したがって、いくつかのインプリメンテーションにおいて、例えば、基地局に対するカラー割り当ては固定させ、送信順序を変化させてもよい。さらに、送信順序は、予め定められた方法で、または、擬似ランダム的な方法で、時間にわたって変化させてもよい。しかしながら、他のインプリメンテーションでは、送信順序は固定させ、カラー割り当ては変化させてもよい。繰り返しになるが、ここでは、カラー割り当ては、予め定められた方法で、または、擬似ランダム方法で、変化させてもよい。
【００３３】
繰り返しになるが、限定するものではないが、説明が容易になるように、例えば、システムは、時分割多重化信号を用いることを仮定しているが、以前に示したように、ＦＤＭ、ＯＦＤＭのような、他の多くのアプローチを用いてもよい。また、このようなシステムは、ランダム、すなわち、時間変化スキームのような、非専用スキームを用いてもよいことも仮定する。例えば、ランダムカラーリングを用いる非専用スキームでは、この特定の実施形態に対して、例えば、セクターにカラー割り当てを行うために、擬似ランダムプロセスを用いてもよい。同様に、移動局が、特定の擬似ランダムプロセスと初期シードとを有する場合、例えば、移動局は、任意の所定のポイントにおける特定の関係を決定することができる。したがって、対象となるセクターに対応する拡張パイロット信号は、タイムスロットにより検出され、それにより、移動局に対する計算の複雑さが低減する。ここで留意に値するのは、いくつかの実施形態に対して、移動局により検出可能であり、ＰＮシーケンスを共有している２つのセクターは、同じシードを共有しないことが望ましい。このことにより、移動局が両方のセクターを検出するシチュエーションにおける曖昧さが解消される。もちろん、拡張パイロット信号が、例えば、ＦＤＭ信号である実施形態において、今まさに記述したものと類似の擬似ランダムアプローチを同様に用いてもよい。繰り返しになるが、同じシードで始まる同じ擬似ランダムプロセスを適用することにより、例えば、移動局は、対象となる選択されたセクターに対応する、選択された周波数を決定して、信号検出プロセスの一部として、これらの周波数をチェックすることができ、それにより、このような計算を行うための処理を減らすことができる。
【００３４】
ランダムカラーリングの１つの特定の例を、下記でより詳細に記述する。この特定の実施形態では、さまざまなセクターのカラーが、擬似ランダム的に割り当てられる。したがって、ここでは、この特定の実施形態に対して、セクターのカラーは、擬似ランダム手法で、時間とともに変化する。ここで、用語、カラーは、以前に記述した２タプルに関連している。例えば、以前に記述したように、拡張パイロット信号を９つのタイムスロットに区分して、スーパーセットを一緒になって形成するセクターの９組または９グループに対応させることを仮定する。１つの特定の実施形態において、特定のセルは、例えば、０から８までの間の擬似ランダム整数を発生させ、その後、これらは、カラーにマッピングされる。セル内のセクターは、０、１、２．．．と番号が付けられる。特定のセルに対して、擬似ランダム的に決定されたカラーは、この特定の実施形態では、例えば、セクター０に割り当てる。セクター０、１、２．．．が、ラップアラウンドで、α、β、γのシーケンシャルな順序をたどるような方法で、セル内の他のセクターは、その後、カラーが付けられる。例えば、セクター０が、第２のエレメントとして割り当てられたβを有する場合、セクター１は、γを有し、セクター２はαを有する。
【００３５】
この特定の実施形態に対して、ここではカラーグループを表している、セクターの任意の組は、平均的な意味において、総セクターのうちの１／９を有している。しかしながら、擬似ランダム的なカラー割り当ての所定の実現のために、セクターの特定の組は、セクターのうちの１／９より多く、または、少なく有してもよい。静的な移動局または受信機に対して、ランダムカラーリングは有益かもしれない。なぜなら、静的な移動局に対する専用のカラーリングは、結果として、正確がより低い位置特定推定を一般的に生成させる干渉になるかもしれないからである。もちろん、専用のカラーリング実施形態に対して上述したような周期的なシフトは、その性質により、ランダムカラーリングに対しては省いてもよい。
【００３６】
信号波形が、時分割多重化信号、すなわち、ＴＤＭ信号を構成しているという特徴を図示している、拡張パイロット信号の実施形態を以前に記述した。特に、プロトコル１ｘＥＶ−ＤＯに関連して、このことを記述した。しかしながら、以前に記述したように、送信される信号波形が、他の送信される信号波形と相互に直交するように、他の多くの信号次元を用いてもよい。例えば、よく知られているように、周波数分割多重化（ＦＤＭ）信号のケースにおけるように、信号が、周波数次元に関して相互に直交してもよい。同様に、直交周波数分割多重化、すなわち、ＯＦＤＭを用いる通信システムが存在する。このシステムでは、時間および周波数次元の両方に関して相互に直交する信号波形が送信されうるように、信号が変調される。この特定のタイプの拡張パイロット信号は、２つの例に関連して記述する。１つの例は、ＷｉＭＡＸ仕様に関してであり、別の例は、ＬＴＥ仕様に関してであり、ＷｉＭＡＸとＬＴＥとの両者を、他の類似のワイヤレスプロトコルまたは通信仕様に関連して、下記でより詳細に明記する。
【００３７】
例えば、ＷｉＭＡＸに関連して、拡張パイロットシグナリングのための多数の可能性あるアプローチが考えられる。このような１つのアプローチは、プリアンブルを送信するために、ＷｉＭＡＸ中のダウンリンクサブフレームにおける第１のＯＦＤＭシンボルを使用するという特徴を使用してもよい。プリアンブルは、同期化と、初期チャネル推定と、ハンドオフとのために用いられる。特に、ＯＦＤＭシンボルは、時間および周波数において多重化されてもよい。プリアンブルのＯＦＤＭシンボルにおける副搬送波は、副搬送波の３つのグループに区分されてもよく、ここで、副搬送波のグループは、副搬送波組として呼ばれる。セグメント化された周波数の再使用シチュエーションにおいて、セクターは、特定の副搬送波組に割り当てられてもよい。例えば、セグメント化された周波数の再使用は、システム帯域幅が、１つの無線周波数搬送波に属しており、そしてセクター間で分割されているシチュエーションに対応していてもよい。代替的なインプリメンテーションでは、搬送波組が、依然として、３つの副搬送波を有していてもよく、１つのセクターが、１つの搬送波組の３つの副搬送波すべてに割り当てられてもよい。今まさに記述した位置特定のためにプリアンブルパイロットを用いることの欠点は、移動局が基地局に近づくにつれて、移動局が基地局に強い干渉を与えて、同じ副搬送波組を使用して他の移動局を検出する基地局の能力に干渉するかもしれないということである。さらに、移動局が他の基地局から遠くにあると、そのために、他の基地局が移動局を検出する困難さを有するかもしれない。
【００３８】
ＷｉＭＡＸは、「ゾーン」アプローチを使用している。「ゾーン」アプローチは、フレーム内の時分割多重化に関連している。フレームは、異なるゾーンを含んでいてもよく、ゾーンは、異なる数のＯＦＤＭシンボルを有していてもよい。標準規格により、新しいゾーンを作ることができる。それゆえ、ＷｉＭＡＸと互換性があることを意図している１つの実施形態において、拡張パイロット信号は、位置特定のために作られた新しいゾーン中で送信されてもよい。ゾーンは、ＤＬフレームの一部として、低いデューティーサイクルを有してもよいので、１ｘＥＶ−ＤＯに対して以前に記述したように、ここでも、１％を下回るようなオーバーヘッドが含まれるかもしれない。
【００３９】
フレーム内のゾーンは、１つの実施形態において、例えば、すべての基地局に対して同じであってもよい。基地局は、それゆえ、受信移動局に送信するダウンリンクマップ情報の一部として、ＰＬＰ（位置特定パイロット）ゾーン情報を送信してもよい。識別目的のために、基地局は、位置特定パイロットのための１組の可能性あるシーケンスのうちの１つを使用してもよい。例えば、他のアプローチにおいて使用されてきたように、チューシーケンスが用いられてもよい。もちろん、混乱を避けるために、位置特定パイロットをプリアンブルとして検出させることを避けるために、異なるコードを使用すべきであり、逆もまた同じである。
【００４０】
このＷｉＭＡＸゾーンアプローチ内で、時分割多重化信号に関連して以前に記述したアプローチの拡張として、セルのカラーコーディングを取り扱ってもよい。したがって、所定の位置特定ゾーンに対して、１つのカラーグループの基地局が、自己の位置特定パイロットを送信する。グループ中の異なる基地局が、自己の位置特定パイロットに対して異なるシーケンスを使用する。１ｘＥＶ−ＤＯに対して以前に図示したように、このことは、例として、Ｋ＝３、または、Ｋ＝９で用いられてもよい。同様に、この手法において、増分検出も実現できる。
【００４１】
ＷｉＭＡＸを用いる１つの観点は、ＯＦＤＭシンボルを使用する結果として、拡張パイロット信号が、周波数および時間信号次元において相互に直交することである。図６中の実施形態６１０により図示されているように、例えば、αセクターは、第１のＰＬＰゾーンを用いてもよく、βセクターは、第２のＰＬＰゾーンを用いてもよく、γセクターは、第３のＰＬＰゾーンを用いてもよい。それゆえ、αセクターに対して指定されたＰＬＰゾーン内で、周波数シグナリング次元に関して、異なるセルが反映される。同様に、類似のアプローチが、βおよびγセクターに対して生じる。ここで、以前と同じように、移動局が増分検出を用いることがオプションとして残っている。同様に、以前に記述したように、専用の「カラーリング」とともに、時間変化カラーリングまたはランダムカラーリングを用いてもよい。
【００４２】
後者のアプローチの１つの利点は、標準規格の修正が比較的小さいことである。異なる帯域幅配置シナリオに対して、位置特定パイロット／シーケンスが規定されてもよい。同様に、アップリンクおよびダウンリンクメッセージのさまざまな観点が規定されてもよい。例えば、パイロット検出結果を報告する新しいアップリンクメッセージとともに、隣接する基地局を端末に通信する新しいダウンリンクメッセージが追加されてもよい。報告のスピードを上げるために、パイロット検出の結果を報告するための新しいメディアアクセス制御ヘッダーが望ましい。それにもかかわらず、現在使用が計画されているＷｉＭａｘと完全に後方互換性があるかもしれない。拡張パイロット信号アプローチをサポートしていない従来のＷｉＭＡＸ端末は、位置特定パイロットゾーンを事実上無視する。
【００４３】
同じように、ＬＴＥ仕様は、ＷｉＭＡＸに対して以前に記述したアプローチに類似する、位置特定シグナリング仕様のためのアプローチを同様に採用してもよい。エネルギーを増加させ、したがって、検出の見込みを増加させるために、現在指定されているＰＳＣおよびＳＳＣのシーケンスおよびシンボルを拡張する、潜在的なアプローチがあるかもしれないが、それにもかかわらず、それでもなお、位置特定パイロットまたはＰＬＰシグナリングを含むＷｉＭＡＸに関連して今まさに記述したものと類似するパイロット構造を規定することに、利点がある。
【００４４】
位置特定のために専用のパイロットを用いる実施形態において、現在ＬＴＥに対して意図されている信号の構造内に、セルが、位置特定パイロットのための何らかのわずかな時間を確保してもよい。より具体的には、いくつかのＲＢおよびいくつかのＴＩを、位置特定パイロットのために用いてもよい。同様に、位置特定パイロットのために、セルは、識別目的のための５１２個のチューシーケンスのうちの１つを使用してもよい。同様に、セルは、以前に記述した手法に類似する、時間または時間周波数再使用で、ＰＬＰを送信してもよい。例として、その全文が参照によりここに組み込まれ、現在クレームされている主題事項の譲受人に割り当てられている、“ワイヤレス通信システムのための位置特定”と題する、アター氏らにより、２００８年５月１日に出願された、米国特許出願シリアル番号１２／１１３，８１０号（代理人事件登録番号０７１４２１号）に関連して、ＰＬＰ送信を記述している。したがって、以前にＷｉＭＡＸに関して記述したように、特定のインプリメンテーションにしたがって、再使用、増分検出、専用のカラーリング、または、ランダムカラーリングをすべて用いてもよい。
【００４５】
拡張パイロット信号を用いるさらに別の実施形態では、このような拡張パイロット信号の観点が構成可能であってもよく、限定するものではないが、例えば、タイムスロットを用いるか否か、どのタイムスロットで、どのくらいの頻度で、拡張パイロット信号を送信するか等である。例えば、１つの実施形態では、ワイヤレス通信システムのためのサービスオペレーターが、例えば、意図されたアプリケーションに少なくとも部分的に基づいて、構成可能なパラメータに対する値を指定してもよい。例えば、信号波形の送信の相互に直交する観点を、特定の値に対してセット可能である、または、特定の値から修正可能である。
【００４６】
以前に述べたように、いくつかの実施形態において、位置特定に対してハイブリッドアプローチを用いてもよい。例えば、拡張パイロット信号をワイヤレス通信システムの一部として用いながら、他のメカニズムを通して受信した信号を介して利用可能な他の情報により拡張パイロット信号を補って、位置特定を決定してもよい。同様に、位置特定推定を決定することは、移動体ユニットで、完全に行われる必要はない。例えば、位置特定推定を決定することは、外部エンティティ（例えば、ポジション決定エンティティ）にロケーション情報を送信することを含んでもよい。
【００４７】
クレームされている主題事項は、この点における範囲に限定されるものではないが、１つの例示的な実施形態として、インターネットおよびワイヤレス通信信号の両方へのアクセスを通して、ＧＰＳタイミング情報を取得するために、拡張パイロット信号は、例えば、フェムトセルホームアクセスポイントのような、移動体セルアクセスポイントを支援してもよい。例えば、拡張パイロット信号が１ｘＥＶ−ＤＯを介して利用可能であると仮定するが、もちろん、以前に示したように、クレームされている主題事項は、１ｘＥＶ−ＤＯに対する範囲に限定されるものではない。
【００４８】
セルアクセスポイントは、伝播遅延によりモジュロ４２６．６６ミリ秒ＧＰＳタイムオフセットをもたらすワイヤレス信号を基地局から受信するかもしれない。もちろん、この受信した信号は、用いられる信号の「モジュロ」の観点から、タイミングの曖昧さを有している。同様に、伝播遅延は、信号が基地局からアクセスポイントに到達するまでの時間に寄与しうる。しかしながら、この実施形態に対して、アクセスポイントは、拡張パイロット信号を使用してＧＰＳ時間を決定するために、タイミングの曖昧さを解消し、伝播遅延を無くす能力を有していてもよい。
【００４９】
ネットワークタイムプロトコル、すなわち、ＮＴＰｖ４は、例えば、セルアクセスポイントにＵＴＣ時間を提供してもよい。ＵＴＣ時間は、モジュロ時間信号からの曖昧さを解消するために用いられてもよい。伝播遅延を推定して無くすために、ホームアクセスポイントは、その自己のロケーションと、タイミング信号を送信した基地局ロケーションとを取得してもよい。以前に記述したように、拡張パイロットシグナリングを使用して、これらのロケーションを取得してもよい。こうして、アクセスポイントは、伝播遅延を計算し、伝播遅延を補償して、ＧＰＳ時間を計算することができる。したがって、この特定の実施形態は、ＧＰＳ衛星支援がなくとも、ＧＰＳ時間を提供する。いくつかの状況では、衛星にアクセスすることなく、ＧＰＳ時間を取得する能力が望まれるかもしれない。
【００５０】
以前に述べたように、拡張パイロット信号は、時間セグメント、周波数帯域、または、時間周波数ビンのような、多くの形態で提供してもよい。これらの後者の任意の例において、区分が直交するか、またはほぼ直交になるように、例えば、時間、周波数、または時間周波数のような、１つ以上のシグナリング次元に関して、Ｋ個のグループに区分してもよい。同様に、セクターのスーパーセットも、Ｋ個の組またはＫ個のグループに区分してもよい。特定の実施形態を参照して以前に記述したように、直交またはほぼ直交の区分と、セクター区分との間で、１対１の関係を確立してもよい。このような実施形態では、区分されている１つ以上の特定のシグナリング次元の特定のウィンドウで、セクターの特定の組に対して拡張パイロット信号を送信してもよい。同様に、特定の実施形態を参照して以前に記述したように、専用のカラーリングを、または、ランダムカラーリングのような時間変化カラーリングを適用してもよい。それゆえ、特定の実施形態に関して以前に記述し、図示してきたように、拡張パイロットシグナリングを、ＷｉＭＡＸ、ＬＴＥ、ＵＭＢ、あるいは、例えば、３ＧＰＰまたは３ＧＰＰ２により開発されている他の４Ｇアプローチのような、ＯＦＤＭシステムに適用してもよい。もちろん、繰り返しになるが、これらは例であり、クレームされている主題事項は、ＯＦＤＭシステムばかりでなく、それ以外のものをカバーすることを意図している。
【００５１】
それゆえに、例えば、以前に記述した実施形態のような、ワイヤレス通信、または、ロケーション決定技術を、さまざまなワイヤレス通信ネットワークのホストに対して使用してもよい。限定するものではないが、これらは、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングル搬送波ＦＤＭＡ（ＳＣ−ＦＤＭＡ）ネットワーク等を含んでいる。ＣＤＭＡネットワークは、少数の無線技術の名前を挙げるだけでも、ｃｄｍａ２０００、ワイドバンドＣＤＭＡ（Ｗ−ＣＤＭＡ）、または、ユニバーサル地上無線アクセス（ＵＴＲＡ）のような、１つ以上の無線アクセス技術（ＲＡＴ）を実現できる。ここで、ｃｄｍａ２０００は、ＩＳ−９５、ＩＳ−２０００、または、ＩＳ−８５６標準規格にしたがって実現される技術を含んでもよい。ＵＴＲＡは、ワイドバンドＣＤＭＡ（Ｗ−ＣＤＭＡ）、または、低チップレート（ＬＣＲ）を含んでもよい。ＴＤＭＡネットワークは、移動体通信用グローバルシステム（ＧＳＭ）のような、無線技術を実現できる。ＯＦＤＭＡネットワークは、エボルブドＵＴＲＡ（Ｅ−ＵＴＲＡ）、ＩＥＥＥ８０２．１１、（ＷｉＭＡＸ仕様としても呼ばれる）ＩＥＥＥ８０２．１６、ＩＥＥＥ８０２．２０、フラッシュＯＦＤＭ（登録商標）等のような、無線技術を実現できる。ＵＴＲＡと、Ｅ−ＵＴＲＡと、ＧＳＭは、ユニバーサル移動体電気通信システム（ＵＭＴＳ）の一部である。（ＬＴＥ、または、ＬＴＥ仕様としても呼ばれる）ロングタームエボリューションは、Ｅ−ＵＴＲＡを使用できるＵＭＴＳのリリースである。ＵＴＲＡと、Ｅ−ＵＴＲＡと、ＧＳＭと、ＵＭＴＳと、ＬＴＥは、第３世代パートナーシッププロジェクト（３ＧＰＰ）から取得できる文書中に記述されている。Ｃｄｍａ２０００は、第３世代パートナーシッププロジェクト２（３ＧＰＰ２）から取得できる文書中に記述されている。３ＧＰＰおよび３ＧＰＰ２の文書は、もちろん、公に入手可能である。
【００５２】
信号を処理するシステムの例示的なインプリメンテーションが、図７に図示されている。しかしながら、これは単に、特定の例にしたがって処理することにより信号が取得可能であるシステムの例に過ぎず、クレームされている主題事項から逸脱することなく、他のシステムを使用してもよい。図７に図示されているように、この特定の例にしたがうと、このようなシステムは、プロセッサ１３０２と、メモリ１３０４と、相関器１３０６とを含む、コンピューティングプラットフォームを備えていてもよい。相関器１３０６は、（示されていない）受信機により提供され、直接的にか、または、メモリ１３０４を通じてかのいずれかにより、プロセッサ１３０２により処理される信号に対して、相関関数または演算を生成させる。相関器１３０６は、ハードウェア、ファームウェア、ソフトウェア、または、任意に組み合わせたもので実現してもよい。しかしながら、これは単に、相関器がいかに実現されうるかの例に過ぎず、クレームされている主題事項はこの特定の事例に対して限定されるものではない。
【００５３】
しかしながら、ここで、この例を続けると、メモリ１３０４は、プロセッサ１３０２によりアクセス可能で実行可能である命令を記憶できる。ここで、このような命令と組み合わされたプロセッサ１３０２は、限定するものではないが、例えば、ＰＮまたは他のシーケンスを相関させることのような、以前に記述したさまざまな演算を実行できる。
【００５４】
図８を見ると、無線トランシーバ１４０６は、音声またはデータのようなベースバンド情報で、無線周波数（ＲＦ）搬送波信号を変調してもよい、または、変調されたＲＦ搬送波信号を復調して、ベースバンド情報を取得してもよい。アンテナ１４１０は、例えば、ワイヤレス通信リンクを介して、変調したＲＦ搬送波を送信してもよい、または、変調されたＲＦ搬送波を受信してもよい。
【００５５】
ベースバンドプロセッサ１４０８は、ワイヤレス通信リンクを介する送信のために、ベースバンド情報をＣＰＵ１４０２からトランシーバ１４０６に提供できる。ここで、ＣＰＵ１４０２は、ユーザインターフェース１４１６内の入力デバイスから、このようなベースバンド情報を取得できる。ベースバンドプロセッサ１４０８はまた、ユーザインターフェース１４１６内の出力デバイスを通して送るために、ベースバンド情報をトランシーバ１４０６からＣＰＵ１４０２に提供できる。ユーザインターフェース１４１６は、音声またはデータのようなユーザ情報を入力または出力する複数のデバイスを備えていてもよい。このようなデバイスは、例えば、キーボード、ディスプレイスクリーン、マイクロフォン、または、スピーカを含んでもよい。
【００５６】
ここで、ＳＰＳ受信機１４１２は、ＳＰＳ送信を受信して復調し、復調した情報を相関器１４１８に提供できる。相関器１４１８は、受信機１４１２により提供された情報から、相関関数を適用できる。例えば、所定のＰＮシーケンスに対して、相関器１４１８は、例えば、規定されたコヒーレントおよび非コヒーレントの積分パラメータにしたがって適用される相関関数を生成させることができる。相関器１４１８はまた、トランシーバ１４０６により提供されたパイロット信号に関連する情報から、パイロット関連の相関関数を適用できる。チャネルデコーダー１４２０は、ベースバンドプロセッサ１４０８から受け取ったチャネルシンボルを、基礎となるソースビットにデコードできる。チャネルシンボルが畳み込みエンコードされたシンボルを含む１つの例では、このようなチャネルデコーダーは、ビタビデコーダーを含んでもよい。チャネルシンボルが畳み込みコードのシリアルまたはパラレルの連結を含む第２の例では、チャネルデコーダー１４２０は、ターボデコーダーを含んでもよい。
【００５７】
メモリ１４０４は、例えば、以前に、記述または提案してきたプロセス、あるいは、インプリメンテーションのうちの１つ以上を行うことが実行可能である命令を記憶してもよい。ＣＰＵ１４０２は、このような命令にアクセスして、このような命令を実行してもよい。これらの命令の実行を通して、ＣＰＵ１４０２は、さまざまな信号処理関連タスクを行うように、相関器１４１８に命令してもよい。しかしながら、これらは単に、特定の観点において、ＣＰＵにより行われうるタスクの例に過ぎず、クレームされている主題事項はこれらの点において限定されるものではない。これらは単に、位置特定を推定するシステムの例に過ぎず、クレームされている主題事項はこれらの点において限定されるものではないことが、さらに理解されるべきである。
【００５８】
一般に、拡張パイロットは、標準パイロットよりも低い干渉（例えば、より高い信号対ノイズ比（ＳＮＲ））を有するように設計されているパイロットであり、ポジショニングに使用するのに適している。拡張パイロットはまた、ロケーションパイロット、位置特定（ＰＬ）パイロット、高検出可能パイロット（ＨＤＰ）等として呼ばれることがある。上述したように、ワイヤレスネットワーク中のすべてのセクターのうちのサブセット（例えば、セクターの指定された組）だけに、所定のタイムスロットまたは所定の時間周波数リソース中に拡張パイロットを送信させることによって、拡張パイロットに対する干渉を低くすることができる。送信組中の異なるセクターに、異なるパイロットシーケンスを使用させることによっても、干渉を低くすることができる。
【００５９】
標準パイロットは、ワイヤレスネットワーク中で利用可能であるパイロットであり、セクター検出、捕捉、および／または他の目的のために使用される。標準パイロットはまた、他の名前により呼ばれることがある。例えば、標準パイロットは、図２中に示されている１ｘＥＶ−ＤＯネットワークに対する「ＤＯパイロット」、ＷｉＭＡＸネットワーク中のプリアンブルパイロット等であってもよい。
【００６０】
ワイヤレスネットワーク中のセクターは、標準パイロットと拡張パイロットとの両方を送信してもよい。例えば、１ｘＥＶ−ＤＯネットワーク中のセクターは、図２中の「ＤＯパイロット」フィールド中で、標準パイロットを送信してもよいし、パイロットフィールド２２０、２３０、２４０、および２５０中で、拡張パイロットを送信してもよい。ＷｉＭＡＸネットワーク中のセクターは、プリアンブル中で、標準パイロットを送信してもよいし、パイロットロケーションパイロット（ＰＬＰ）ゾーン中で、拡張パイロットを送信してもよい。上述したように、セクターは、設計されたレートにおいて標準パイロットを送信してもよいし、オーバーヘッドを低減させるために、より低いレートにおいて拡張パイロットを送信してもよい。
【００６１】
端末または移動局は、担当するセクターとともに近くのセクターからも、標準パイロットを受信するかもしれない。端末はまた、担当するセクターと、近くの基地局と、より遠くのセクターとから、拡張パイロットを受信するかもしれない。より遠くのセクターからの標準パイロットが高い干渉を観測するかもしれないのに対し、担当するセクターおよび近くのセクターからの標準パイロットは、高い干渉を観測しないかもしれない。干渉が高いと、端末が、ポジション推定を取得する目的で、より遠くのセクターにアクセスして、このようなセクターに対する測定を行うことが妨げられる。対照的に、近くおよびより遠くのセクターの両方からの拡張パイロットは、より低い干渉を観測するかもしれず、したがって、端末が、より多数のセクターに対する測定を行うことを可能にするかもしれない。拡張パイロット測定で取得したポジション推定は、標準パイロット測定で取得したポジション推定よりも、より高い正確さを有するかもしれない。
【００６２】
端末のロケーションを推定するために、および、他の目的のために、ここで記述する拡張パイロットを使用してもよい。用語「ロケーション」と「ポジション」とは同義であり、区別なく使用することが多い。ポジショニング、すなわち、ロケーション決定は、ユーザプレーンロケーションアーキテクチャ／ソリューションと、制御プレーンロケーションアーキテクチャ／ソリューションとによりサポートされてもよい。ユーザプレーンロケーションアーキテクチャは、ユーザプレーンを介して、ロケーションサービス（ＬＣＳ）にメッセージを送るロケーションアーキテクチャである。制御プレーンロケーションアーキテクチャは、制御プレーンを介して、ロケーションサービスにメッセージを送るロケーションアーキテクチャである。ユーザプレーンは、より高次のレイヤアプリケーションにシグナリングを伝えて、ユーザプレーンベアラを用いるメカニズムであり、典型的に、ユーザデータグラムプロトコル（ＵＤＰ）、送信制御プロトコル（ＴＣＰ）、および、インターネットプロトコル（ＩＰ）のようなプロトコルで実現されている。制御プレーンは、より高次のレイヤアプリケーションにシグナリングを伝えるメカニズムであり、典型的に、ネットワーク特定プロトコルと、インターフェースと、シグナリングメッセージとで実現されている。ロケーションサービスをサポートするメッセージは、制御プレーンアーキテクチャでは、シグナリングの一部として伝えられ、ユーザプレーンアーキテクチャでは、（ネットワークの見地から）データの一部として伝えられる。しかしながら、メッセージのコンテンツは、ユーザプレーンおよび制御プレーンのロケーションアーキテクチャの両方において、同じであるか、または、類似していてもよい。
【００６３】
ここで記述する拡張パイロットは、オープン移動体連合（ＯＭＡ）からのセキュアユーザプレーンロケーション（ＳＵＰＬ）、ＣＤＭＡ開発グループ（ＣＤＧ）からのＶ１またはＶ２ユーザプレーン、および、３ＧＰＰ２からのＸ．Ｓ００２４のような、さまざまなユーザプレーンロケーションアーキテクチャとともに使用してもよい。Ｖ１、Ｖ２、および、Ｘ．Ｓ００２４は、３ＧＰＰ２ネットワークに適用可能である。ＳＵＰＬは、３ＧＰＰおよび３ＧＰＰ２ネットワークに適用可能である。拡張パイロットはまた、３ＧＰＰ ＴＳ ２３．２７１と、ＴＳ ４３．０５９と、ＴＳ２５．３０５とにおいて記述されている３ＧＰＰ制御プレーン、および、ＩＳ−８８１と３ＧＰＰ２ Ｘ．Ｓ００２において記述されている３ＧＰＰ２制御プレーンのような、さまざまな制御プレーンロケーションアーキテクチャとともに使用してもよい。これらのユーザプレーンおよび制御プレーンのロケーションアーキテクチャは、公に入手可能な文書中に記述されている。明確にするために、ＳＵＰＬに対する技術のある観点を以下で記述しており、以下の記述の大部分でＳＵＰＬ専門用語を使用している。
【００６４】
図１０は、拡張パイロットを使用してロケーションサービスをサポートする例示的な配備を示している。端末１０２０は、ワイヤレスネットワーク１０１０と通信して、通信サービスを取得してもよい。ワイヤレスネットワーク１０１０は、３ＧＰＰ２ ｃｄｍａ２０００ １ｘＲＴＴ（すなわち、「１ｘ」）ネットワーク、３ＧＰＰ２ ｃｄｍａ２０００ ＥＶ−ＤＯ（すなわち、「１ｘＥＶ−ＤＯ」）ネットワーク、ＷｉＭＡＸネットワーク、３ＧＰＰ ＵＭＴＳネットワーク、３ＧＰＰ ＬＴＥネットワーク、３ＧＰＰ２ ＵＭＢネットワーク、ＷＬＡＮ等であってもよい。ワイヤレスネットワーク１０１０は、基地局と、他のネットワークエンティティとを含んでもよい。簡単にするために、１つの基地局１０１２および１つのネットワーク制御装置１０１４のみを図１０に示している。基地局１０１２は、特定の地理的エリアに対して、通信カバレッジを提供できる。基地局１０１２のカバレッジエリア全体は、複数の（例えば、３つの）より小さなエリアに区分してもよい。３ＧＰＰ２では、基地局の最小のカバレッジエリアが、「セクター」または「セルセクター」として呼ばれることがあり、基地局のカバレッジエリア全体が、「セル」として呼ばれることがある。３ＧＰＰでは、基地局の最小のカバレッジエリアが、「セル」として呼ばれることがある。したがって、３ＧＰＰ２中の「セクター」は、３ＧＰＰ中の「セル」と均等かもしれない。明確にするために、以下の記述では、３ＧＰＰ２の「セクター」および「セル」の概念を使用している。ネットワーク制御装置１０１４は、１組の基地局に結合しており、これらの基地局に協調と制御とを提供し、端末１０２０のような端末に対する、音声、データ、および、シグナリングトラフィックの伝送をサポートできる。
【００６５】
端末１０２０は、ＳＵＰＬにおいて、ＳＵＰＬイネーブル端末（ＳＥＴ）として呼ばれることがある。用語「端末」、「移動局」、および、「ＳＥＴ」は、区別なく使用することがある。端末１０２０は、ワイヤレスネットワーク１０１０内の異なるセクターからの信号（例えば、拡張パイロットおよび／または標準パイロット）を受信して測定し、セクターに対するタイミングおよび／または信号強度測定を取得してもよい。ＳＥＴ１０２０に対するポジション推定を導出するために、セクターのタイミングおよび／または信号強度測定と、セクターの既知のロケーションとを使用してもよい。ポジション推定はまた、ロケーション推定、ポジション固定等として呼ばれることがある。端末１０２０は、衛星１０５０からの信号も受信して測定し、衛星に対する擬似距離測定を取得してもよい。衛星１０５０は、米国のグローバルポジショニングシステム（ＧＰＳ）、欧州のＧａｌｉｌｅｏシステム、ロシアのＧＬＯＮＡＳＳシステム、あるいは、他のいくつかの衛星ポジショニングシステム（ＳＰＳ）またはグローバルナビゲーション衛星システム（ＧＮＳＳ）の一部であってもよい。端末１０２０に対するポジション推定を導出するために、衛星１０５０の擬似距離測定と、衛星１０５０の既知のロケーションとを使用してもよい。一般的に、セクターおよび／または衛星に対する測定に基づいて、および、ポジショニング方法の１つまたはポジショニング方法を組み合わせたものを使用して、ポジション推定を導出できる。
【００６６】
ＳＵＰＬロケーションプラットフォーム（ＳＬＰ）１０３０は、端末１０２０と通信して、ロケーションサービスをサポートできる。ロケーションサービスは、ロケーション情報に基づく、または、ロケーション情報に関連する、任意のサービスを含んでもよい。ロケーションサービスは、端末に対するポジション推定を決定するプロセスである、ポジショニングを含んでもよい。ＳＬＰ１０３０は、ワイヤレスネットワーク１０１０から離れていてもよい、または、ワイヤレスネットワーク１０１０の一部であってもよい。ＳＬＰ１０３０は、ＳＵＰＬロケーションセンター（ＳＬＣ）１０３２と、ＳＵＰＬポジショニングセンター（ＳＰＣ）１０３４とを具備してもよい。ＳＬＣ１０３２は、ロケーションサービスに対してさまざまな機能を行って、ＳＵＰＬの動作を協調させ、ユーザプレーンベアラを介してＳＥＴと対話してもよい。ＳＬＣ１０３２は、プライバシー、入会、セキュリティ、ローミングサポート、課金／請求、サービス管理、ロケーション算出等に対する機能を行ってもよい。ＳＰＣ１０３４は、ＳＥＴに対するポジショニングと、ＳＥＴへの支援データの配信をサポートし、また、ロケーション算出のために使用されるメッセージと手順とを担ってもよい。ＳＰＣ１０３４は、セキュリティ、支援データ配信、参照検索、ロケーション算出等に対する機能を行ってもよい。ＳＬＰ１０３０、ＳＬＣ１０３２、および、ＳＰＣ１０３４はまた、他の名前により呼ばれることがある。例えば、ＳＬＰ１０３０はまた、ロケーションサーバ、ロケーション情報サーバ（ＬＩＳ）、ネットワークサーバ等として呼ばれることがある。ＳＬＣ１０３２はまた、移動体ポジショニングセンター（ＭＰＣ）、ポジションサーバ（ＰＳ）、ゲートウェイ移動体ロケーションセンター（ＧＭＬＣ）等として呼ばれることがある。ＳＰＣ１０３４はまた、ポジション決定エンティティ（ＰＤＥ）、担当移動体ロケーションセンター（ＳＭＬＣ）、スタンドアローンＳＭＬＣ（ＳＡＳ）等として呼ばれることがある。
【００６７】
ＳＵＰＬエージェント１０４０は、ＳＬＰ１０３０と通信して、端末１０２０に対するロケーション情報を取得してもよい。ＳＵＰＬエージェントは、ネットワークリソースにアクセスしてロケーション情報を取得する、サービスアクセスポイントまたはロケーションクライアントである。ロケーション情報は、ポジション推定および／またはロケーションに関連する任意の情報を含んでもよい。端末１０２０はまた、常駐ＳＵＰＬエージェントを有してもよい。端末１０２０、ＳＬＰ１０３０、および、ＳＵＰＬエージェント１０４０は、それぞれ、任意のＳＵＰＬバージョンをサポートできる。ＳＵＰＬバージョン２．０（ＳＵＰＬ２．０）は、「セキュアユーザプレーンロケーションアーキテクチャ」と題する、ＯＭＡ−ＡＤ−ＳＵＰＬ−Ｖ２中と、「ユーザプレーンロケーションプロトコル」と題する、ＯＭＡ−ＴＳ−ＵＬＰ−Ｖ２中とに記述されている。これらのＳＵＰＬ文書は、ＯＭＡから公に入手可能である。
【００６８】
端末／ＳＥＴ１０２０は、ＳＬＰ１０３０と通信して、ロケーションサービスを取得してもよい。ＳＥＴ１０２０により、または、ＳＵＰＬエージェント１０４０により、ロケーションサービスを開始してもよい。
【００６９】
図１１は、ポジショニングするために拡張パイロットを使用する、ネットワーク開始のロケーションサービスに対する通話フロー１１００の設計を示している。ＳＵＰＬエージェント１０４０は、ＳＥＴ１０２０に対するロケーション情報を要求してもよく、移動体ロケーションプロトコル（ＭＬＰ）標準ロケーション中間要求（ＳＬＩＲ）メッセージをＳＬＰ１０３０に送ってもよい（ステップＡ）。ＳＬＰ１０３０は、要求されたロケーション情報に対して、ＳＵＰＬエージェント１０４０を認証および認定してもよい。ＳＬＰ１０３０は、その後、ＳＥＴ１０２０に対するルーティング情報を取得してもよい（ステップＢ）。
【００７０】
ＳＬＰ１０３０は、ＳＵＰＬ ＩＮＩＴメッセージを送って、ＳＥＴ１０２０とのＳＵＰＬセッションを開始する（ステップＣ）。ＳＵＰＬ ＩＮＩＴメッセージは、ＳＵＰＬセッションを識別するために使用されるセッション−ｉｄ、意図されているポジショニング方法（ポス方法）、所望の品質のポジショニング（ＱｏＰ）等を含んでもよい。ＳＵＰＬ ＩＮＩＴメッセージを受信すると、ＳＥＴ１０２０は、データ接続セットアップ手順を行い、ＳＥＴ１０２０がまだ接続されていない場合には、ＳＥＴ１０２０自体をパケットデータネットワーク（例えば、ワイヤレスネットワーク１０１０）に接続させ、ＳＬＰ１０３０に対する安全なＩＰ接続を確立する（ステップＤ）。ＳＥＴ１０２０は、その後、ＳＵＰＬ ＰＯＳ ＩＮＩＴメッセージをＳＬＰ１０３０に送って、ポジショニングセッションを開始する（ステップＥ）。ＳＵＰＬ ＰＯＳ ＩＮＩＴメッセージは、セッション−ｉｄ、ＳＥＴの現在の担当セクターを識別するロケーション−ｉｄ（ｌｉｄ）、ＳＥＴ能力（例えば、ポジショニング能力）等を含んでいてもよい。
【００７１】
ＳＥＴ１０２０に対するポジション推定が必要な場合、その後、ＳＬＰ１０３０およびＳＥＴ１０２０は、ポジショニングセッションのためにメッセージを交換してもよい。ＳＬＰ１０３０は、ＳＵＰＬ ＰＯＳメッセージを送ってもよく、ＳＵＰＬ ＰＯＳメッセージは、ＴＳ ４４．０３１中に記述されている無線リソースＬＣＳプロトコル（ＲＲＬＰ）、ＴＳ ２５．３３１中に記述されている無線リソース制御（ＲＲＣ）、または、３ＧＰＰ２ Ｃ．Ｓ００２２中に記述されているＴＩＡ−８０１のような、ポジショニングプロトコルのためのメッセージを伝えてもよい（ステップＦ）。ここで使用するような「ＴＩＡ−８０１」は、ＴＩＡ／ＥＩＡ／ＩＳ−８０１と、ＴＩＡ−８０１−Ａと、ＴＩＡ−８０１−Ｂとを含むすべてのバージョンのＴＩＡ−８０１を含んでいる。ＲＲＬＰ／ＲＲＣ／ＴＩＡ−８０１メッセージは、拡張パイロット情報を含んでいてもよく、拡張パイロット情報は、異なるセクターからの拡張パイロットを測定するために、ＳＥＴ１０２０により使用してもよい。ＳＥＴ１０２０はまた、ＳＵＰＬ ＰＯＳメッセージを送ってもよく、ＳＵＰＬ ＰＯＳメッセージは、拡張パイロット測定結果および／または他の情報を含むＲＲＬＰ／ＲＲＣ／ＴＩＡ−８０１メッセージを伝えてもよい（ステップＧ）。一般的に、ＳＬＰ１０３０は、ステップＦにおいて、例えば、拡張パイロット情報が、ＳＥＴ１０２０により必要とされるか否かにしたがって、ＳＵＰＬ ＰＯＳメッセージを送ってもよいし、送らなくてもよい。ＳＥＴ１０２０は、ステップＧにおいて、例えば、ロケーション算出が、ＳＥＴ１０２０またはＳＬＰ１０３０により行われるか否かにしたがって、ＳＵＰＬ ＰＯＳメッセージを送ってもよいし、送らなくてもよい。各エンティティは、ポジショニングセッション中の任意の時間において、ＳＵＰＬ ＰＯＳメッセージを送ってもよい。ＳＥＴ１０２０およびＳＬＰ１０３０はまた、ポジショニングセッション中に他のメッセージを交換してもよく、このことは、簡単にするために、図１１では示していない。
【００７２】
ＳＥＴ支援ポジショニングに対して、ＳＬＰ１０３０は、ＳＥＴ１０２０から受信したパイロット測定結果に基づいて、ＳＥＴ１０２０に対するポジション推定を算出してもよい。ＳＥＴベースのポジショニングに対して、ＳＥＴ１０２０は、ＳＬＰ１０３０からの支援に基づいて、ＳＥＴ１０２０自体に対するポジション推定を算出してもよい。任意のケースでは、ポジショニングセッションが完了すると、ＳＬＰ１０３０は、ＳＵＰＬ ＥＮＤメッセージをＳＥＴ１０２０に送る（ステップＨ）。ＳＬＰ１０３０は、ＭＬＰ標準ロケーション中間回答（ＳＬＩＡ）メッセージ中で、要求されたロケーション情報をＳＵＰＬエージェント１０４０に送る（ステップＩ）。
【００７３】
一般的に、拡張パイロット情報は、異なるセクターからの拡張パイロットを測定する際に、端末／ＳＥＴに対して有用である任意の情報を含んでもよい。１つの設計では、拡張パイロット情報は、以下のもののうちの１つ以上を含んでいてもよい。  
・拡張パイロットを送信するセクターの識別  
・拡張パイロットがセクターにより送信される、時間ロケーションまたは時間周波数リソース（例えば、１ｘＥＶ−ＤＯ中のタイムスロット、ＷｉＭＡＸ中の拡張パイロットゾーン等）の識別  
・拡張パイロットに対して使用されるパイロットシーケンスの識別  
・セクターの各組内でのセクターの識別および各セクターにより使用される拡張パイロットシーケンスの識別  
・各基地局またはセクターのロケーション座標  
・異なる基地局間のパイロットタイミング差  
・弱いパイロット信号の測定を支援するための、端末の推定されたロケーションに対するおおよそのパイロット測定結果、および、  
・拡張および／または標準パイロットに対して要求される、または、許容される測定時間
【００７４】
拡張パイロット情報は、拡張パイロットに関連する他の情報も含んでいてもよい。ＳＥＴ１０２０に送る特定の情報は、拡張パイロットを発生させる方法、セクターを組に区分すること、ネットワークアーキテクチャ等のような、さまざまな要因に依存していてもよい。ＳＬＰ１０３０は、ポジショニングセッションの開始時において、または、ＳＥＴ１０２０により要求された場合にのみ、または、拡張パイロット測定がＳＥＴ１０２０によりサポートされている場合にのみ、または、他のいくつかの基準に基づいて、拡張パイロット情報をＳＥＴ１０２０に送ってもよい。
【００７５】
一般的に、パイロット測定結果は、端末／ＳＥＴに対するポジション推定を計算するのに有用である任意の情報を含んでもよい。１つの設計では、パイロット測定結果は、以下のもののうちの１つ以上を含んでいてもよい。  
・標準パイロット測定結果、例えば、１ｘＥＶ−ＤＯネットワーク中のＤＯパイロット、ＷｉＭＡＸネットワーク中のプリアンブルパイロット等に対する結果  
・拡張パイロット測定結果  
・パイロット測定統計量、例えば、各パイロット測定に対する標準偏差、および、  
・測定がなされた時間、セクター識別等のような、他の情報
【００７６】
拡張パイロット測定結果は、検出された拡張パイロットおよび／またはＳＬＰ１０３０により示された拡張パイロットに対するタイミング測定と、検出された、および／または、示された拡張パイロットに対する信号強度測定と、検出された、および／または、示された拡張パイロットを送信するセクターのセクターＩＤ等を含んでいてもよい。拡張パイロット測定結果はまた、拡張パイロットに関連する他の情報を含んでいてもよい。ＳＥＴ支援ポジショニングに対して、ＳＥＴ１０２０は、パイロット測定結果を取得して、ＳＬＰ１０３０に送ってもよく、ＳＬＰ１０３０が、ＳＥＴ１０２０に対するポジション推定を計算できる。ＳＥＴベースのポジショニングに対して、ＳＥＴ１０２０は、パイロット測定結果を取得して、ＳＥＴ１０２０自体に対するポジション推定を計算するために使用してもよい。したがって、ＳＥＴ１０２０は、パイロット測定結果をＳＬＰ１０３０に送ってもよいし、送らなくてもよい。
【００７７】
１つの設計では、拡張パイロット情報またはパイロット測定結果は、ＲＲＬＰ、ＲＲＣ、または、ＴＩＡ−８０１のようなポジショニングプロトコルに対するメッセージ中で、送ってもよい。ＲＲＬＰ／ＲＲＣ／ＴＩＡ−８０１メッセージは、ＳＵＰＬ ＰＯＳメッセージ中で伝えられてもよく、ＳＵＰＬ ＰＯＳメッセージを、例えば、図１１に示されているように、ＳＥＴ１０２０とＳＬＰ１０３０との間で交換してもよい。別の設計では、拡張パイロット情報またはパイロット測定結果は、（１）ＳＵＰＬ ＰＯＳ ＩＮＩＴメッセージ、または、ＳＵＰＬ ＲＥＰＯＲＴメッセージのような既存のＳＵＰＬメッセージ、あるいは、（２）ＳＵＰＬ２．０中に現在規定されていない新しいＳＵＰＬメッセージ中で送ってもよい。
【００７８】
図１２は、拡張パイロットを使用してポジショニングを行うためのプロセス１２００の設計を示している。プロセス１２００は、端末またはネットワークサーバにより行われてもよい。端末は、ＳＥＴまたは他のいくつかのエンティティであってもよい。ネットワークサーバは、ＳＬＰまたはロケーションサービスをサポートする他のいくつかのエンティティであってもよい。任意のケースにおいて、端末とネットワークサーバとの間で、少なくとも１つのメッセージを交換して、端末のポジショニングをするために使用される拡張パイロットに対する情報を交換してもよい（ブロック１２１２）。その後、交換された情報に基づいてポジショニングを行って、端末に対するポジション推定を取得してもよい（ブロック１２１４）。
【００７９】
図１３は、ポジショニングのために端末により行われるプロセス１３００の設計を示している。プロセス１３００は、図１２中のプロセス１２００の１つの設計である。端末は、拡張パイロット情報を含む第１のメッセージをネットワークサーバから受信してもよい（ブロック１３１２）。拡張パイロット情報は、拡張パイロットを送信するセクターの識別子、セクターにより送信される拡張パイロットの時間ロケーション、セクターにより送信される拡張パイロットの時間および周波数ロケーション、セクターにより使用されるパイロットシーケンス、セクターに対する基地局のロケーション、基地局間のパイロットタイミング差、拡張パイロットに対する測定時間、および／または、他の情報を含んでいてもよい。
【００８０】
端末は、拡張パイロット情報を使用して、複数のセクターに対する拡張パイロット測定を取得してもよい（ブロック１３１４）。端末は、拡張パイロット測定結果を含む第２のメッセージをネットワークサーバに送ってもよい（ブロック１３１６）。第２のメッセージは、標準パイロット測定結果、パイロット測定統計量等をさらに含んでもよい。端末は、その後、端末自体に対するポジション推定をネットワークサーバから受信してもよい（ブロック１３１８）。ポジション推定は、端末からの拡張パイロット測定結果に基づいて、ネットワークサーバにより計算してもよい。
【００８１】
図１４は、ポジショニングのためにネットワークサーバにより行われるプロセス１４００の設計を示している。プロセス１４００は、図１２中のプロセス１２００の別の設計である。ネットワークサーバは、拡張パイロット情報を含む第１のメッセージを端末に送ってもよい（ブロック１４１２）。ネットワークサーバは、拡張パイロット測定結果を含む第２のメッセージを端末から受信してもよい（ブロック１４１４）。ネットワークサーバは、拡張パイロット測定結果に基づいて、端末に対するポジション推定を計算してもよい（ブロック１４１６）。ネットワークサーバは、その後、端末におよび／またはＳＵＰＬエージェントのような独立したクライアントにポジション推定を送ってもよい（ブロック１４１８）。
【００８２】
図１３および図１４は、ＳＥＴ支援ポジショニングのための設計を示している。ＳＥＴベースのポジショニングは、上述したようにサポートされていてもよく、端末とネットワークサーバとの間の異なるメッセージ交換を含んでもよい。
【００８３】
１つの設計では、ネットワークサーバはＳＬＰであってもよく、端末はＳＥＴであってもよく、ＳＵＰＬセッションの間に、少なくとも１つのメッセージをＳＥＴとＳＬＰとの間で交換してもよい。少なくとも１つのメッセージは、少なくとも１つのＳＵＰＬメッセージであってもよい。少なくとも１つのメッセージは、ポジショニングプロトコル（例えば、ＲＲＬＰ、ＲＲＣ、または、ＴＩＡ−８０１）用のものでもあってもよく、少なくとも１つのＳＵＰＬメッセージ中で伝えられてもよい。別の設計では、端末とネットワークサーバとが、制御プレーンロケーションアーキテクチャを介して、少なくとも１つのメッセージを交換してもよい。
【００８４】
１つの設計では、拡張パイロットは、異なる組のタイムスロット中でセクターの異なる組により送信されてもよく、１組のタイムスロットはセクターの組のそれぞれに対するものである。別の設計において、拡張パイロットは、異なる組の時間周波数リソース上でセクターの異なる組により送信されてもよく、１組の時間周波数リソースはセクターの組のそれぞれに対するものである。任意のケースでは、拡張パイロットはより低い干渉を有していてもよく、遠くのセクターを端末が検出可能にしてもよい。ワイヤレスネットワーク中のセクターは、拡張パイロットと標準パイロットとの両方をネットワーク中の端末に送信してもよい。
【００８５】
図１５は、図１０中の、基地局１０１２と、端末／ＳＥＴ１０２０と、ネットワークサーバ／ＳＬＰ１０３０との設計のブロック図を示している。簡単にするために、図１５は、端末１０２０に対して、１つの制御装置／プロセッサ１５２０と、１つのメモリ１５２２と、１つの送信機／受信機（ＴＭＴＲ／ＲＣＶＲ）１５２４とのみを示し、基地局１０１２に対して、１つの制御装置／プロセッサ１５１０と、１つのメモリ１５１２と、１つの送信機／受信機１５１４と、１つの通信（Ｃｏｍｍ）ユニット１５１６とのみを示し、ネットワークサーバ１０３０に対して、１つの制御装置／プロセッサ１５３０と、１つのメモリ１５３２と、１つの通信ユニット１５３４とのみを示している。一般的に、各エンティティは、任意の数のプロセッサ、制御装置、メモリ、送信機／受信機、通信ユニット等を備えていてもよい。
【００８６】
ダウンリンク上で、基地局１０１２は、トラフィックデータと、シグナリングと、拡張および標準パイロット信号とを、自己のカバレッジエリア内の端末に送信できる。これらのさまざまなタイプの情報は、プロセッサ１５１０により処理され、送信機１５１４により調整され、ダウンリンク上で送信されてもよい。端末１０２０において、基地局１０１２および他の基地局からのダウンリンク信号は、受信機１５２４により受信されて調整され、プロセッサ１５２０によりさらに処理されて、さまざまなタイプの情報が取得される。アップリンク上で、端末１０２０は、トラフィックデータと、シグナリングと、パイロットとを基地局１０１２に送信できる。これらのさまざまなタイプの情報は、プロセッサ１５２０により処理され、送信機１５２４により調整され、アップリンク上で送信されてもよい。基地局１０１２において、端末１０１２および他の端末からのアップリンク信号が、受信機１５１４により受信されて調整され、プロセッサ１５１０によりさらに処理されて、端末からのさまざまなタイプの情報が取得される。
【００８７】
プロセッサ１５１０および１５２０は、基地局１０１２および端末１０２０における動作をそれぞれ命令してもよい。プロセッサ１５２０はまた、図１２中のプロセス１２００、図１３中のプロセス１３００、および／または、ここで記述する技術のための他のプロセスを行ってもよい。プロセッサ１５２０は、拡張パイロット情報をネットワークサーバ１０３０から受信し、拡張パイロット測定結果をネットワークサーバ１０３０に送り、端末１０２０に対するポジション推定を計算する等してもよい。メモリ１５１２および１５２２は、基地局１０１２および端末１０２０に対するプログラムコードおよびデータをそれぞれ記憶してもよい。基地局１０１２は、通信ユニット１５１６を介して、直接的または間接的に、ネットワークサーバ１０３０と通信してもよい。
【００８８】
ネットワークサーバ１０３０内でプロセッサ１５３０は、端末に対するロケーションサービスをサポートする処理を行ってもよい。例えば、プロセッサ１５３０は、図１２中のプロセス１２００、図１４中のプロセス１４００、および／または、ここで記述する技術のための他のプロセスを行ってもよい。プロセッサ１５３０は、拡張パイロット情報を端末１０２０に送り、拡張パイロット測定結果を端末１０２０から受信し、端末１０２０に対するポジション推定を計算する等してもよい。メモリ１５３２は、ネットワークサーバ１０３０に対するプログラムコードおよびデータを記憶してもよい。通信ユニット１５３４は、ネットワークサーバ１０３０が、基地局１０１２、端末１０２０、および／または、他のネットワークエンティティと通信できるようにする。
【００８９】
今まさに特定の実施形態を記述してきたが、クレームされている主題事項は、特定の実施形態およびインプリメンテーションに対する範囲に限定されるものではないことが、当然理解されただろう。例えば、デバイスまたはデバイスを組み合わせたもので動作するように実現されるハードウェア中に、１つの実施形態があってもよく、一方で、別の実施形態は、例えば、ソフトウェア中にあってもよい。同様に、実施形態は、例えば、ハードウェア、ソフトウェア、および／または、ファームウェアを任意に組み合わせたものとして、あるいは、ファームウェアで実現されてもよい。ここで記述した方法論は、アプリケーションにしたがったさまざまな手段により実現されてもよい。ハードウェアインプリメンテーションに対して、処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、電子デバイス、ここで記述した機能を行うように設計されている他の電子ユニット、または、これらを組み合わせたものの内で実現されてもよい。ファームウェアおよび／またはソフトウェアインプリメンテーションに対して、方法論は、ここで記述した機能を行うモジュール（例えば、手順、機能、等）で実現されてもよい。ここで記述した方法論を実現する際に、命令を実体的に具現化する任意の機械読み取り可能媒体を使用してもよい。例えば、ソフトウェアコードは、例えば、移動局のメモリのようなメモリ中に記憶されてもよく、例えば、マイクロプロセッサのようなプロセッサにより実行されてもよい。メモリは、プロセッサの内部またはプロセッサの外部で実現されてもよい。ここで使用したような用語「メモリ」は、任意のタイプの長期、短期、揮発性、不揮発性、または、他のメモリに関連しており、任意の特定のタイプのメモリ、または、メモリの数、あるいは、メモリが格納されているメディアのタイプに限定されるものではない。同様に、クレームされている主題事項は、この点における範囲に限定されるものではないが、１つの実施形態は、記憶媒体または記憶メディアのような、１つ以上の物を含んでいてもよい。例えば、１つ以上のＣＤ−ＲＯＭおよび／またはディスクのような、この記憶メディアは、この上に、命令を記憶していてもよく、この命令は、例えば、コンピュータシステム、コンピューティングプラットフォーム、または、他のシステムのような、システムにより実行される場合に、結果として、例えば、以前に記述した実施形態のうちの１つのような、実行されているクレームされている主題事項にしたがった方法の実施形態になるかもしれない。１つの潜在的な例として、コンピューティングプラットフォームは、１つ以上の処理ユニットまたはプロセッサ、ディスプレイ、キーボード、および／または、マウスのような、１つ以上の入力／出力デバイス、ならびに／あるいは、静的ランダムアクセスメモリ、動的ランダムアクセスメモリ、フラッシュメモリ、および／または、ハードドライブのような、１つ以上のメモリを含んでいてもよい。
【００９０】
前述の説明では、クレームされている主題事項のさまざまな観点を記述してきた。説明する目的で、クレームされている主題事項の完全な理解を提供するために、特定の数字、システム、および／または、構成を述べた。しかしながら、特定の詳細な説明がなくても、クレームされている主題事項を実施できることは、本開示の恩恵を有する当業者にとって明らかであるべきである。他の例では、クレームされている主題事項を不明瞭にしないように、よく知られている特徴を、省略および／または簡略化した。ある特徴をここで図示および／または記述したが、これから、多くの改良、代替、変更、および／または、均等物が当業者に生じるだろう。それゆえ、クレームされている主題事項の真の精神にあるような、すべてのこのような改良および／または変更を添付の特許請求の範囲がカバーすることが意図されていることを理解すべきである。
【図１】
2011511502.tif 000003
【図２】
2011511502.tif 000004
【図３】
2011511502.tif 000005
【図４】
2011511502.tif 000006
【図５】
2011511502.tif 000007
【図６】
2011511502.tif 000008
【図７】
2011511502.tif 000009
【図８】
2011511502.tif 000010
【図９】
2011511502.tif 000011
【図１０】
2011511502.tif 000012
【図１１】
2011511502.tif 000013
【図１２】
2011511502.tif 000014
【図１３】
2011511502.tif 000015
【図１４】
2011511502.tif 000016
【図１５】
2011511502.tif 000017
【手続補正書】
【提出日】平成22年10月27日(2010.10.27)
【手続補正１】
【補正対象書類名】特許請求の範囲
【補正対象項目名】全文
【補正方法】変更
【補正の内容】
【特許請求の範囲】
【請求項１】
ポジショニングを行う方法において、
端末とネットワークサーバとの間で、少なくとも１つのメッセージを交換して、前記端末のポジショニングに使用される拡張パイロットに対する情報を交換することと、
前記交換された情報に基づいて、ポジショニングを行って、前記端末に対するポジション推定を取得することとを含む方法。
【請求項２】
前記少なくとも１つのメッセージを交換することは、拡張パイロット情報を含むメッセージを前記ネットワークサーバから受信することを含み、前記ポジショニングを行うことは、前記拡張パイロット情報を使用して、複数のセクターに対する拡張パイロット測定を取得することを含む請求項１記載の方法。
【請求項３】
前記拡張パイロット情報は、前記拡張パイロットを送信するセクターの識別子のうちの少なくとも１つと、前記セクターにより送信される前記拡張パイロットの時間ロケーションと、前記セクターにより送信される拡張パイロットの時間および周波数ロケーションと、前記セクターにより使用されるパイロットシーケンスと、前記セクターに対する基地局のロケーションと、前記基地局間のパイロットタイミング差と、前記拡張パイロットに対する測定時間とを含む請求項２記載の方法。
【請求項４】
前記少なくとも１つのメッセージを交換することは、拡張パイロット測定結果を含むメッセージを前記ネットワークサーバに送ることを含む請求項１記載の方法。
【請求項５】
前記メッセージは、標準パイロット測定結果とパイロット測定統計量とのうちの少なくとも１つをさらに含む請求項４記載の方法。
【請求項６】
前記少なくとも１つのメッセージを交換することは、
前記拡張パイロット情報を含む第１のメッセージを前記ネットワークサーバから受信することと、
前記拡張パイロット測定結果を含む第２のメッセージを前記ネットワークサーバに送ることとを含む請求項１記載の方法。
【請求項７】
前記少なくとも１つのメッセージを交換することは、前記拡張パイロット情報を含むメッセージを前記端末に送ることとを含む請求項１記載の方法。
【請求項８】
前記少なくとも１つのメッセージを交換することは、前記拡張パイロット測定結果を含むメッセージを前記端末から受信することを含み、前記ポジショニングを行うことは、前記拡張パイロット測定結果に基づいて、前記端末に対する前記ポジション推定を計算することを含む請求項１記載の方法。
【請求項９】
前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する請求項１記載の方法。
【請求項１０】
前記少なくとも１つのメッセージは、少なくとも１つのＳＵＰＬメッセージを含む請求項９記載の方法。
【請求項１１】
前記少なくとも１つのメッセージは、ポジショニングプロトコルに対するものであり、少なくとも１つのＳＵＰＬメッセージにおいて伝えられる請求項９記載の方法。
【請求項１２】
前記端末と前記ネットワークサーバは、制御プレーンロケーションアーキテクチャを介して、前記少なくとも１つのメッセージを交換する請求項１記載の方法。
【請求項１３】
前記少なくとも１つのメッセージは、無線リソースＬＣＳプロトコル（ＲＲＬＰ）、無線リソース制御（ＲＲＣ）、または、ＴＩＡ−８０１に対するものである請求項１記載の方法。
【請求項１４】
前記拡張パイロットは、異なる組のタイムスロット中でセクターの異なる組により送信され、１組のタイムスロットはセクターの組のそれぞれに対するものである請求項１記載の方法。
【請求項１５】
前記拡張パイロットは、異なる組の時間周波数リソース上でセクターの異なる組により送信され、１組の時間周波数リソースはセクターの組のそれぞれに対するものである請求項１記載の方法。
【請求項１６】
ワイヤレス通信ネットワーク中のセクターが、前記拡張パイロットと標準パイロットとの両方を前記ネットワーク中の端末に送信する請求項１記載の方法。
【請求項１７】
ワイヤレス通信のための装置において、
端末とネットワークサーバとの間で、少なくとも１つのメッセージを交換して、前記端末のポジショニングに使用される拡張パイロットに対する情報を交換し、前記交換された情報に基づいて、ポジショニングを行って、前記端末に対するポジション推定を取得するように構成されている少なくとも１つのプロセッサを具備する装置。
【請求項１８】
前記少なくとも１つのプロセッサは、拡張パイロット情報を含むメッセージを前記ネットワークサーバから受信し、前記拡張パイロット情報を使用して、複数のセクターに対する拡張パイロット測定を取得するように構成されている請求項１７記載の装置。
【請求項１９】
前記少なくとも１つのプロセッサは、拡張パイロット測定結果を含むメッセージを前記ネットワークサーバに送るように構成されている請求項１７記載の装置。
【請求項２０】
前記少なくとも１つのプロセッサは、拡張パイロット情報を含むメッセージを前記端末に送るように構成されている請求項１７記載の装置。
【請求項２１】
前記少なくとも１つのプロセッサは、前記拡張パイロット測定結果を含むメッセージを前記端末から受信し、前記拡張パイロット測定結果に基づいて、前記端末に対する前記ポジション推定を計算するように構成されている請求項１７記載の装置。
【請求項２２】
前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する請求項１７記載の装置。
【請求項２３】
ワイヤレス通信のための装置において、
端末とネットワークサーバとの間で、少なくとも１つのメッセージを交換して、前記端末のポジショニングに使用される拡張パイロットに対する情報を交換する手段と、
前記交換された情報に基づいて、ポジショニングを行って、前記端末に対するポジション推定を取得する手段とを含む装置。
【請求項２４】
前記少なくとも１つのメッセージを交換する手段は、拡張パイロット情報を含むメッセージを前記ネットワークサーバから受信する手段を備え、前記ポジショニングを行う手段は、前記拡張パイロット情報を使用して、複数のセクターに対する拡張パイロット測定を取得する手段を備える請求項２３記載の装置。
【請求項２５】
前記少なくとも１つのメッセージを交換する手段は、拡張パイロット測定結果を含むメッセージを前記ネットワークサーバに送る手段を備える請求項２３記載の装置。
【請求項２６】
前記少なくとも１つのメッセージを交換する手段は、前記拡張パイロット情報を含むメッセージを前記端末に送る手段を備える請求項２３記載の装置。
【請求項２７】
前記少なくとも１つのメッセージを交換する手段は、前記拡張パイロット測定結果を含むメッセージを前記端末から受信する手段を備え、前記ポジショニングを行う手段は、前記拡張パイロット測定結果に基づいて、前記端末に対する前記ポジション推定を計算する手段を備える請求項２３記載の装置。
【請求項２８】
前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する請求項２３記載の装置。
【請求項２９】
コンピュータプログラムにおいて、
少なくとも１つのコンピュータに、端末とネットワークサーバとの間で、少なくとも１つのメッセージを交換させて、前記端末のポジショニングに使用される拡張パイロットに対する情報を交換させるためのコードと、
前記少なくとも１つのコンピュータに、前記交換された情報に基づいて、ポジショニングを行わせて、前記端末に対するポジション推定を取得させるためのコードとを含むコンピュータプログラム。
【手続補正２】
【補正対象書類名】明細書
【補正対象項目名】００９０
【補正方法】変更
【補正の内容】
【００９０】
前述の説明では、クレームされている主題事項のさまざまな観点を記述してきた。説明する目的で、クレームされている主題事項の完全な理解を提供するために、特定の数字、システム、および／または、構成を述べた。しかしながら、特定の詳細な説明がなくても、クレームされている主題事項を実施できることは、本開示の恩恵を有する当業者にとって明らかであるべきである。他の例では、クレームされている主題事項を不明瞭にしないように、よく知られている特徴を、省略および／または簡略化した。ある特徴をここで図示および／または記述したが、これから、多くの改良、代替、変更、および／または、均等物が当業者に生じるだろう。それゆえ、クレームされている主題事項の真の精神にあるような、すべてのこのような改良および／または変更を添付の特許請求の範囲がカバーすることが意図されていることを理解すべきである。
以下に、本願出願の当初の特許請求の範囲に記載された発明を付記する。
［１］ポジショニングを行う方法において、
端末とネットワークサーバとの間で、少なくとも１つのメッセージを交換して、前記端末のポジショニングに使用される拡張パイロットに対する情報を交換することと、
前記交換された情報に基づいて、ポジショニングを行って、前記端末に対するポジション推定を取得することとを含む方法。
［２］前記少なくとも１つのメッセージを交換することは、拡張パイロット情報を含むメッセージを前記ネットワークサーバから受信することを含み、前記ポジショニングを行うことは、前記拡張パイロット情報を使用して、複数のセクターに対する拡張パイロット測定を取得することを含む［１］に記載の方法。
［３］前記拡張パイロット情報は、前記拡張パイロットを送信するセクターの識別子のうちの少なくとも１つと、前記セクターにより送信される前記拡張パイロットの時間ロケーションと、前記セクターにより送信される拡張パイロットの時間および周波数ロケーションと、前記セクターにより使用されるパイロットシーケンスと、前記セクターに対する基地局のロケーションと、前記基地局間のパイロットタイミング差と、前記拡張パイロットに対する測定時間とを含む［２］に記載の方法。
［４］前記少なくとも１つのメッセージを交換することは、拡張パイロット測定結果を含むメッセージを前記ネットワークサーバに送ることを含む［１］に記載の方法。
［５］前記メッセージは、標準パイロット測定結果とパイロット測定統計量とのうちの少なくとも１つをさらに含む［４］に記載の方法。
［６］前記少なくとも１つのメッセージを交換することは、
前記拡張パイロット情報を含む第１のメッセージを前記ネットワークサーバから受信することと、
前記拡張パイロット測定結果を含む第２のメッセージを前記ネットワークサーバに送ることとを含む［１］に記載の方法。
［７］前記少なくとも１つのメッセージを交換することは、前記拡張パイロット情報を含むメッセージを前記端末に送ることとを含む［１］に記載の方法。
［８］前記少なくとも１つのメッセージを交換することは、前記拡張パイロット測定結果を含むメッセージを前記端末から受信することを含み、前記ポジショニングを行うことは、前記拡張パイロット測定結果に基づいて、前記端末に対する前記ポジション推定を計算することを含む［１］に記載の方法。
［９］前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する［１］に記載の方法。
［１０］前記少なくとも１つのメッセージは、少なくとも１つのＳＵＰＬメッセージを含む［９］に記載の方法。
［１１］前記少なくとも１つのメッセージは、ポジショニングプロトコルに対するものであり、少なくとも１つのＳＵＰＬメッセージにおいて伝えられる［９］に記載の方法。
［１２］前記端末と前記ネットワークサーバは、制御プレーンロケーションアーキテクチャを介して、前記少なくとも１つのメッセージを交換する［１］に記載の方法。
［１３］前記少なくとも１つのメッセージは、無線リソースＬＣＳプロトコル（ＲＲＬＰ）、無線リソース制御（ＲＲＣ）、または、ＴＩＡ−８０１に対するものである［１］に記載の方法。
［１４］前記拡張パイロットは、異なる組のタイムスロット中でセクターの異なる組により送信され、１組のタイムスロットはセクターの組のそれぞれに対するものである［１］に記載の方法。
［１５］前記拡張パイロットは、異なる組の時間周波数リソース上でセクターの異なる組により送信され、１組の時間周波数リソースはセクターの組のそれぞれに対するものである［１］に記載の方法。
［１６］ワイヤレス通信ネットワーク中のセクターが、前記拡張パイロットと標準パイロットとの両方を前記ネットワーク中の端末に送信する［１］に記載の方法。
［１７］ワイヤレス通信のための装置において、
端末とネットワークサーバとの間で、少なくとも１つのメッセージを交換して、前記端末のポジショニングに使用される拡張パイロットに対する情報を交換し、前記交換された情報に基づいて、ポジショニングを行って、前記端末に対するポジション推定を取得するように構成されている少なくとも１つのプロセッサを具備する装置。
［１８］前記少なくとも１つのプロセッサは、拡張パイロット情報を含むメッセージを前記ネットワークサーバから受信し、前記拡張パイロット情報を使用して、複数のセクターに対する拡張パイロット測定を取得するように構成されている［１７］に記載の装置。
［１９］前記少なくとも１つのプロセッサは、拡張パイロット測定結果を含むメッセージを前記ネットワークサーバに送るように構成されている［１７］に記載の装置。
［２０］前記少なくとも１つのプロセッサは、拡張パイロット情報を含むメッセージを前記端末に送るように構成されている［１７］に記載の装置。
［２１］前記少なくとも１つのプロセッサは、前記拡張パイロット測定結果を含むメッセージを前記端末から受信し、前記拡張パイロット測定結果に基づいて、前記端末に対する前記ポジション推定を計算するように構成されている［１７］に記載の装置。
［２２］前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する［１７］に記載の装置。
［２３］ワイヤレス通信のための装置において、
端末とネットワークサーバとの間で、少なくとも１つのメッセージを交換して、前記端末のポジショニングに使用される拡張パイロットに対する情報を交換する手段と、
前記交換された情報に基づいて、ポジショニングを行って、前記端末に対するポジション推定を取得する手段とを含む装置。
［２４］前記少なくとも１つのメッセージを交換する手段は、拡張パイロット情報を含むメッセージを前記ネットワークサーバから受信する手段を備え、前記ポジショニングを行う手段は、前記拡張パイロット情報を使用して、複数のセクターに対する拡張パイロット測定を取得する手段を備える［２３］に記載の装置。
［２５］前記少なくとも１つのメッセージを交換する手段は、拡張パイロット測定結果を含むメッセージを前記ネットワークサーバに送る手段を備える［２３］に記載の装置。
［２６］前記少なくとも１つのメッセージを交換する手段は、前記拡張パイロット情報を含むメッセージを前記端末に送る手段を備える［２３］に記載の装置。
［２７］前記少なくとも１つのメッセージを交換する手段は、前記拡張パイロット測定結果を含むメッセージを前記端末から受信する手段を備え、前記ポジショニングを行う手段は、前記拡張パイロット測定結果に基づいて、前記端末に対する前記ポジション推定を計算する手段を備える［２３］に記載の装置。
［２８］前記ネットワークサーバは、セキュアユーザプレーンロケーション（ＳＵＰＬ）ロケーションプラットフォーム（ＳＬＰ）であり、前記端末は、ＳＵＰＬイネーブル端末（ＳＥＴ）であり、ＳＵＰＬセッション中に、前記ＳＥＴと前記ＳＬＰとの間で、前記少なくとも１つのメッセージを交換する［２３］に記載の装置。
［２９］コンピュータ読み取り可能媒体を具備するコンピュータプログラムプロダクトにおいて、
コンピュータ読み取り可能媒体が、
少なくとも１つのコンピュータに、端末とネットワークサーバとの間で、少なくとも１つのメッセージを交換させて、前記端末のポジショニングに使用される拡張パイロットに対する情報を交換させるためのコードと、
前記少なくとも１つのコンピュータに、前記交換された情報に基づいて、ポジショニングを行わせて、前記端末に対するポジション推定を取得させるためのコードとを含むコンピュータプログラムプロダクト。
【国際調査報告】
2011511502.tif 000018
2011511502.tif 000019